(57)【要約】【課題】より適切な冷却制御を行うことができる冷蔵庫を提供することである。【解決手段】実施形態の冷蔵庫は、筐体と、冷却部と、制御部とを持つ。前記筐体は、貯蔵部を含む。前記冷却部は、前記貯蔵部を冷却する。前記制御部は、第１制御モードと、前記貯蔵部を第１温度帯で冷却する低温冷却制御と前記貯蔵部を前記第１温度帯よりも高い第２温度帯で冷却する高温冷却制御とを交互に繰り返す第２制御モードとにより前記冷却部を制御可能である。前記制御部は、前記第１制御モードと前記第２制御モードとのうち一方の制御モードの実行中に他方の制御モードの開始指示が受け付けられた場合、所定の優先順位に基づき、前記第１制御モードの内容変更、前記第２制御モードの内容変更、前記一方の制御モードの早期終了または中断、および前記他方の制御モードの開始延期のうち少なくとも１つを行う。【選択図】図６
2020180733.tif 000002
【特許請求の範囲】
【請求項１】
貯蔵部を含む筐体と、
前記貯蔵部を冷却する冷却部と、
第１制御モードと、前記貯蔵部を第１温度帯で冷却する低温冷却制御と前記貯蔵部を前記第１温度帯よりも高い第２温度帯で冷却する高温冷却制御とを交互に繰り返す第２制御モードとにより前記冷却部を制御可能であり、前記第１制御モードと前記第２制御モードとのうち一方の制御モードの実行中に他方の制御モードの開始指示が受け付けられた場合、所定の優先順位に基づき、前記第１制御モードの内容変更、前記第２制御モードの内容変更、前記一方の制御モードの早期終了または中断、および前記他方の制御モードの開始延期のうち少なくとも１つを行う制御部と、
を備えた冷蔵庫。
【請求項２】
前記第１制御モードと前記第２制御モードは、前記貯蔵部に関する制御モードであり、
前記制御部は、前記一方の制御モードの実行中に前記他方の制御モードの開始指示が受け付けられた場合、前記一方の制御モードよりも前記他方の制御モードを優先して実行する、
請求項１に記載の冷蔵庫。
【請求項３】
前記制御部は、前記一方の制御モードの実行中に前記他方の制御モードの開始指示が受け付けられた場合、前記第１制御モードと前記第２制御モードとのうち少なくとも一方の内容を、前記一方の制御モードが終了した後に前記他方の制御モードの開始指示が受け付けられる場合における設定から変更する、
請求項１または請求項２に記載の冷蔵庫。
【請求項４】
前記制御部は、前記一方の制御モードの実行中に前記他方の制御モードの開始指示が受け付けられた場合、前記第２制御モードにおける前記低温冷却制御と前記高温冷却制御とのうち少なくとも一方の内容を、前記一方の制御モードが終了した後に前記他方の制御モードの開始指示が受け付けられる場合における設定から変更する、
請求項１から請求項３のうちいずれか１項に記載の冷蔵庫。
【請求項５】
前記制御部は、前記一方の制御モードの実行中に前記他方の制御モードの開始指示が受け付けられ、前記第１制御モードと前記第２制御モードとが並行して実行される場合、前記低温冷却制御の目標温度帯と前記高温冷却制御の目標温度帯とのうち少なくとも一方を、前記一方の制御モードが終了した後に前記他方の制御モードの開始指示が受け付けられる場合における設定から変更する、
請求項１から請求項４のうちいずれか１項に記載の冷蔵庫。
【請求項６】
前記第１制御モードは、前記貯蔵部の平均温度の上昇を伴う制御モードであり、
前記制御部は、前記一方の制御モードが終了した後に前記他方の制御モードの開始指示が受け付けられる場合、低温時基準設定に基づき前記低温冷却制御を行い、高温時基準設定に基づき前記高温冷却制御を行い、
前記制御部は、前記一方の制御モードの実行中に前記他方の制御モードの開始指示が受け付けられ、前記第１制御モードと前記第２制御モードとが並行して実行される場合、前記低温冷却制御の目標温度帯を第１度合いで前記低温時基準設定から変更するとともに、前記高温冷却制御の内容を変更しないまたは前記第１度合いよりも小さな第２度合いで前記高温時基準設定から変更する、
請求項５に記載の冷蔵庫。
【請求項７】
前記制御部は、前記一方の制御モードの実行中に前記他方の制御モードの開始指示が受け付けられ、前記第１制御モードと前記第２制御モードとが並行して実行される場合、前記低温冷却制御の実施時間と前記高温冷却制御の実施時間とのうち少なくとも一方を、前記一方の制御モードが終了した後に前記他方の制御モードの開始指示が受け付けられる場合における設定から変更する、
請求項１から請求項６のうちいずれか１項に記載の冷蔵庫。
【請求項８】
前記制御部は、前記一方の制御モードが終了した後に前記他方の制御モードの開始指示が受け付けられる場合、基準設定に基づき前記低温冷却制御および前記高温冷却制御を行い、
前記制御部は、前記一方の制御モードの実行中に前記他方の制御モードの開始指示が受け付けられた場合、前記低温冷却制御の内容を第１度合いで前記基準設定から変更するとともに、前記高温冷却制御の内容を変更しないまたは前記第１度合いよりも小さな第２度合いで前記基準設定から変更する、
請求項１から請求項７のうちいずれか１項に記載の冷蔵庫。
【請求項９】
前記第１制御モードは、前記貯蔵部の平均温度がプラス温度帯になる制御であり、
前記制御部は、前記第２制御モードの高温冷却制御の実行中に前記第１制御モードの開始指示が受け付けられた場合、前記高温冷却制御を中断して前記第１制御モードを実行し、前記第１制御モードの終了後に前記高温冷却制御を再開し、
前記制御部は、中断前の前記高温冷却制御の実施時間と再開後の前記高温冷却制御の実施時間との合計時間が、前記一方の制御モードが終了した後に前記他方の制御モードの開始指示が受け付けられる場合における前記高温冷却制御の設定よりも短くなるように、再開後の前記高温冷却制御の実施時間の長さを決定する、
請求項１から請求項８のうちいずれか１項に記載の冷蔵庫。
【請求項１０】
前記第１制御モードは、前記貯蔵部の平均温度がプラス温度帯になる制御であり、
前記制御部は、前記第２制御モードの低温冷却制御の実行中に前記第１制御モードの開始指示が受け付けられた場合、前記低温冷却制御を中断して前記第１制御モードを実行し、前記第１制御モードの終了後に前記低温冷却制御を再開し、
前記制御部は、中断前の前記低温冷却制御の実施時間と再開後の前記低温冷却制御の実施時間との合計時間が、前記一方の制御モードが終了した後に前記他方の制御モードの開始指示が受け付けられる場合における前記低温冷却制御の設定よりも長くなるように、再開後の前記低温冷却制御の実施時間の長さを決定する、
請求項１から請求項９のうちいずれか１項に記載の冷蔵庫。
【請求項１１】
前記第１制御モードは、前記貯蔵部の平均温度がマイナス温度帯になる制御であり、
前記制御部は、前記第２制御モードの高温冷却制御の実行中に前記第１制御モードの開始指示が受け付けられた場合、前記高温冷却制御を中断して前記第１制御モードを実行し、前記第１制御モードの終了後に前記高温冷却制御を再開し、
前記制御部は、中断前の前記高温冷却制御の実施時間と再開後の前記高温冷却制御の実施時間との合計時間が、前記一方の制御モードが終了した後に前記他方の制御モードの開始指示が受け付けられる場合における前記高温冷却制御の設定よりも長くなるように、再開後の前記高温冷却制御の実施時間を決定する、
請求項１から請求項１０のうちいずれか１項に記載の冷蔵庫。
【請求項１２】
前記第１制御モードは、前記貯蔵部の平均温度がマイナス温度帯になる制御であり、
前記制御部は、前記第２制御モードの低温冷却制御の実行中に前記第１制御モードの開始指示が受け付けられた場合、前記低温冷却制御を中断して前記第１制御モードを実行し、前記第１制御モードの終了後に前記低温冷却制御を再開し、
前記制御部は、中断前の前記低温冷却制御の実施時間と再開後の前記低温冷却制御の実施時間との合計時間が、前記一方の制御モードが終了した後に前記他方の制御モードの開始指示が受け付けられる場合における前記低温冷却制御の設定よりも短くなるように、再開後の前記低温冷却制御の実施時間を決定する、
請求項１から請求項１１のうちいずれか１項に記載の冷蔵庫。
【請求項１３】
前記制御部は、前記低温冷却制御と前記高温冷却制御とのうち一方の冷却制御が所定以上進んだ状態で前記第１制御モードの開始指示が受け付けられた場合、前記一方の冷却制御を早期終了して前記第１制御モードを実行し、前記第１制御モードの終了後に前記低温冷却制御と前記高温冷却制御とのうち他方の冷却制御を実行する、
請求項１から請求項１２のうちいずれか１項に記載の冷蔵庫。
【請求項１４】
前記制御部は、早期終了した前記一方の冷却制御の後に実行される前記他方の冷却制御の実施時間を、前記一方の制御モードが終了した後に前記他方の制御モードの開始指示が受け付けられる場合における前記他方の冷却制御の設定よりも短くする、
請求項１３に記載の冷蔵庫。
【発明の詳細な説明】
【技術分野】
【０００１】
本発明の実施形態は、冷蔵庫に関する。
【背景技術】
【０００２】
冷蔵室よりも低い温度に冷却されるチルド室を備えた冷蔵庫が知られている。チルド室は、発酵食品や生鮮食品などの食品を低温で凍らない温度で保存する。
【先行技術文献】
【特許文献】
【０００３】
【特許文献１】特開２０１５−１０２３２０号公報
【発明の概要】
【発明が解決しようとする課題】
【０００４】
ところで今後、例えばチルド室のような貯蔵部を低温温度帯で冷却する低温冷却制御と高温温度帯で冷却する高温冷却制御とを交互に繰り返す特別制御モードを行うことで、食品の鮮度保持のさらなる向上を図ることが想定される。この場合、上記特別制御モードと他の制御モードとが並行してまたは前後して実行された場合、冷却制御の適切性の低下を招くことがあり得る。
【０００５】
本発明が解決しようとする課題は、より適切な冷却制御を行うことができる冷蔵庫を提供することである。
【課題を解決するための手段】
【０００６】
実施形態の冷蔵庫は、筐体と、冷却部と、制御部とを持つ。前記筐体は、貯蔵部を含む。前記冷却部は、前記貯蔵部を冷却する。前記制御部は、第１制御モードと、前記貯蔵部を第１温度帯で冷却する低温冷却制御と前記貯蔵部を前記第１温度帯よりも高い第２温度帯で冷却する高温冷却制御とを交互に繰り返す第２制御モードとにより前記冷却部を制御可能である。前記制御部は、前記第１制御モードと前記第２制御モードとのうち一方の制御モードの実行中に他方の制御モードの開始指示が受け付けられた場合、所定の優先順位に基づき、前記第１制御モードの内容変更、前記第２制御モードの内容変更、前記一方の制御モードの早期終了または中断、および前記他方の制御モードの開始延期のうち少なくとも１つを行う。
【図面の簡単な説明】
【０００７】
【図１】実施形態の冷蔵庫を示す正面図。
【図２】図１中に示された冷蔵庫のＦ２−Ｆ２線に沿う断面図。
【図３】実施形態の冷凍サイクル装置の構成を示す図。
【図４】実施形態の冷蔵庫の機能構成の一部を示すブロック図。
【図５】実施形態の特別チルドの制御モードが実行される場合のチルド室の空気温度の変化を示す図。
【図６】実施形態の第１実施例を説明するための図。
【図７】実施形態の第２実施例を説明するための図。
【図８】実施形態の第３実施例を説明するための図。
【図９】実施形態の第４実施例を説明するための図。
【図１０】実施形態の第５実施例を説明するための図。
【図１１】実施形態の第６実施例を説明するための図。
【図１２】実施形態の第７実施例を説明するための図。
【図１３】実施形態の第８実施例を説明するための図。
【図１４】実施形態の第９実施例を説明するための図。
【図１５】実施形態の第１０実施例を説明するための図。
【図１６】実施形態の第１１実施例を説明するための図。
【図１７】実施形態の第１１実施例を説明するための図。
【図１８】実施形態の第１２実施例を説明するための図。
【図１９】実施形態の第１３実施例を説明するための図。
【発明を実施するための形態】
【０００８】
以下、実施形態の冷蔵庫を、図面を参照して説明する。以下の説明では、同一または類似の機能を有する構成に同一の符号を付す。そして、それら構成の重複する説明は省略する場合がある。本明細書では、冷蔵庫の正面に立つユーザから冷蔵庫を見た方向を基準に、左右を定義している。また、冷蔵庫から見て冷蔵庫の正面に立つユーザに近い側を「前」、遠い側を「後ろ」と定義している。
【０００９】
本明細書で「ＸＸに基づく」とは、「少なくともＸＸに基づく」ことを意味し、ＸＸに加えて別の要素に基づく場合も含む。また「ＸＸに基づく」とは、ＸＸを直接に用いる場合に限定されず、ＸＸに対して演算や加工が行われたものに基づく場合も含む。「ＸＸ」は、任意の要素（例えば任意の情報）である。
【００１０】
本明細書における「平均温度」は、「中心温度」と読み替えられてもよい。「中心温度」は、対象となる温度帯の最大値（または上限値）と最小値（または下限値）とを足して２で割った値である。ただし、「中心温度」は、例えば、後述する低温冷却制御と高温冷却制御との切り替え時に生じ得る外れ値などは除外して算出されてよい。
【００１１】
（実施形態）
［１．冷蔵庫の全体構成］
図１から図１９を参照し、実施形態の冷蔵庫１について説明する。まず、冷蔵庫１の全体構成について説明する。
【００１２】
図１は、冷蔵庫１を示す正面図である。図２は、図１中に示された冷蔵庫１のＦ２−Ｆ２線に沿う断面図である。図１および図２に示すように、冷蔵庫１は、例えば、筐体１０、複数の扉１１、複数の棚１２、複数の容器１３、流路形成部品１４、冷却部１５、および制御基板１６を備えている。
【００１３】
筐体１０は、上壁２１、下壁２２、左右の側壁２３，２４、および後壁２５を有する。
上壁２１および下壁２２は、略水平に広がっている。左右の側壁２３，２４は、下壁２２の左右の端部から上方に起立し、上壁２１の左右の端部に繋がっている。後壁２５は、下壁２２の後端部から上方に起立し、上壁２１の後端部に繋がっている。
【００１４】
図２に示すように、筐体１０は、例えば、内箱１０ａ、外箱１０ｂ、および断熱部１０ｃを有する。内箱１０ａは、筐体１０の内面を形成する部材である。外箱１０ｂは、筐体１０の外面を形成する部材である。外箱１０ｂは、内箱１０ａよりも一回り大きく形成されており、内箱１０ａの外側に配置されている。内箱１０ａと外箱１０ｂとの間には、発泡ウレタンのような発泡断熱材を含む断熱部１０ｃが設けられている。
【００１５】
筐体１０の内部には、複数の貯蔵室２７が設けられている。複数の貯蔵室２７は、例えば、冷蔵室２７Ａ、チルド室２７ＡＡ、野菜室２７Ｂ、製氷室２７Ｃ、小冷凍室２７Ｄ、および主冷凍室２７Ｅを含む。本実施形態では、最上部に冷蔵室２７Ａが配置され、冷蔵室２７Ａの下方に野菜室２７Ｂが配置され、野菜室２７Ｂの下方に製氷室２７Ｃおよび小冷凍室２７Ｄが配置され、製氷室２７Ｃおよび小冷凍室２７Ｄの下方に主冷凍室２７Ｅが配置されている。ただし、貯蔵室２７の配置は、上記例に限定されず、例えば冷蔵室２７Ａの下方に製氷室２７Ｃおよび小冷凍室２７Ｄが配置され、製氷室２７Ｃおよび小冷凍室２７Ｄの下方に主冷凍室２７Ｅが配置され、主冷凍室２７Ｅの下方に野菜室２７Ｂが配置されてもよい。筐体１０は、各貯蔵室２７の前面側に、各貯蔵室２７に対して食材の出し入れを可能にする開口を有する。
【００１６】
チルド室２７ＡＡは、例えば、冷蔵室２７Ａの一部の下方に設けられている。チルド室２７ＡＡは、例えば、棚や壁などにより少なくとも部分的に冷蔵室２７Ａに対して区画されている。チルド室２７ＡＡは、例えば、冷蔵室２７Ａよりも下方に位置して冷たい冷気が流入しやすいことや、冷蔵室２７Ａと比べて後述する冷蔵用冷却器４１の近くに位置することで、冷蔵室２７Ａよりも低い温度に冷却される。本明細書では、チルド室２７ＡＡは、「貯蔵部」の一例である。なお、チルド室２７ＡＡは、「第１貯蔵部」と称されてもよい。一方で、製氷室２７Ｃ、小冷凍室２７Ｄ、および主冷凍室２７Ｅの各々は、「第２貯蔵部」と称されてもよい。
【００１７】
筐体１０は、第１および第２の仕切部２８，２９を有する。第１および第２の仕切部２８，２９は、例えば、それぞれ略水平方向に沿う仕切壁である。第１仕切部２８は、冷蔵室２７Ａ（チルド室２７ＡＡ）と野菜室２７Ｂとの間に位置し、冷蔵室２７Ａ（チルド室２７ＡＡ）と野菜室２７Ｂとの間を仕切っている。一方で、第２仕切部２９は、野菜室２７Ｂと、製氷室２７Ｃおよび小冷凍室２７Ｄとの間に位置し、野菜室２７Ｂと、製氷室２７Ｃおよび小冷凍室２７Ｄとの間を仕切っている。第２仕切部２９は、例えば発泡断熱材を含み、断熱性を有する。第１仕切部２８は、例えば合成樹脂などで形成されており、第２仕切部２９よりも断熱性が小さい。
【００１８】
複数の貯蔵室２７の開口は、複数の扉１１によって開閉可能に閉じられる。複数の扉１１は、例えば、冷蔵室２７Ａの開口を閉じる左右の冷蔵室扉１１Ａａ，１１Ａｂ、野菜室２７Ｂの開口を閉じる野菜室扉１１Ｂ、製氷室２７Ｃの開口を閉じる製氷室扉１１Ｃ、小冷凍室２７Ｄの開口を閉じる小冷凍室扉１１Ｄ、および主冷凍室２７Ｅの開口を閉じる主冷凍室扉１１Ｅを含む。
【００１９】
複数の棚１２は、冷蔵室２７Ａに設けられている。
複数の容器１３は、チルド室２７ＡＡに設けられたチルド室容器１３Ａ、野菜室２７Ｂに設けられた第１および第２の野菜室容器１３Ｂａ，１３Ｂｂ、製氷室２７Ｃに設けられた製氷室容器（不図示）、小冷凍室２７Ｄに設けられた小冷凍室容器１３Ｄ、および主冷凍室２７Ｅに設けられた第１および第２の主冷凍室容器１３Ｅａ，１３Ｅｂを含む。
【００２０】
流路形成部品１４は、筐体１０内に配置されている。流路形成部品１４は、第１ダクト部品３１と、第２ダクト部品３２とを含む。
【００２１】
第１ダクト部品３１は、筐体１０の後壁２５に沿って設けられ、鉛直方向に延びている。第１ダクト部品３１は、例えば、野菜室２７Ｂの下端部の後方から冷蔵室２７Ａの上端部の後方まで延びている。第１ダクト部品３１と筐体１０の後壁２５との間には、冷気（空気）が流れる通路である第１ダクト空間Ｄ１が形成されている。第１ダクト部品３１は、複数の冷蔵室冷気吹出口３１ａと、チルド室冷気吹出口３１ｂと、冷気戻り口３１ｃとを有する。複数の冷蔵室冷気吹出口３１ａは、チルド室２７ＡＡよりも上方において複数の高さ位置に分かれて設けられている。複数の冷蔵室冷気吹出口３１ａは、冷蔵室２７Ａに開口している。第１ダクト空間Ｄ１を流れる冷気は、冷蔵室冷気吹出口３１ａから冷蔵室２７に吹き出される。チルド室冷気吹出口３１ｂは、チルド室２７ＡＡに開口している。第１ダクト空間Ｄ１を流れる冷気は、チルド室冷気吹出口３１ｂからチルド室２７ＡＡに吹き出される。冷気戻り口３１ｃは、野菜室２７Ｂに開口している。野菜室２７Ｂを通った冷気は、冷気戻り口３１ｃから第１ダクト空間Ｄ１に戻る。
【００２２】
第２ダクト部品３２は、筐体１０の後壁２５に沿って設けられ、鉛直方向に延びている。第２ダクト部品３２は、例えば、主冷凍室２７Ｅの後方から製氷室２７Ｃおよび小冷凍室２７Ｄの上端部の後方まで延びている。第２ダクト部品３２と筐体１０の後壁２５との間には、冷気（空気）が流れる通路である第２ダクト空間Ｄ２が形成されている。第２ダクト部品３２は、冷気吹出口３２ａと、冷気戻り口３２ｂとを有する。冷気吹出口３２ａは、製氷室２７Ｃおよび小冷凍室２７Ｄに開口している。第２ダクト空間Ｄ２を流れる冷気は、冷気吹出口３２ａから製氷室２７Ｃおよび小冷凍室２７Ｄに吹き出される。冷気戻り口３２ｂは、主冷凍室２７Ｅに開口している。主冷凍室２７Ｅを通った冷気は、冷気戻り口３２ｂから第２ダクト空間Ｄ２に戻る。
【００２３】
冷却部（冷却ユニット）１５は、複数の貯蔵室２７（冷蔵室２７Ａ、チルド室２７ＡＡ、野菜室２７Ｂ、製氷室２７Ｃ、小冷凍室２７Ｄ、および主冷凍室２７Ｅ）を冷却する。冷却部１５は、例えば、第１冷却モジュール４０と、第２冷却モジュール４５と、圧縮機４９と、冷凍サイクル装置５０（図３）とを含む。
【００２４】
第１冷却モジュール４０は、例えば、冷蔵用冷却器４１と、冷蔵用ファン４３とを含む。冷蔵用冷却器４１は、第１ダクト空間Ｄ１に配置されている。冷蔵用冷却器４１は、後述する圧縮機４９により圧縮された冷媒が供給され、第１ダクト空間Ｄ１を流れる冷気を冷却する。冷蔵用冷却器４１は、例えば、チルド室２７ＡＡに対応する高さに配置されている。
【００２５】
冷蔵用ファン４３は、例えば、第１ダクト部品３１の冷気戻り口３１ｃに設けられている。冷蔵用ファン４３は、「第１送風機」の一例である。冷蔵用ファン４３が駆動されると、野菜室２７Ｂの空気が冷気戻り口３１ｃから第１ダクト空間Ｄ１内に流入する。第１ダクト空間Ｄ１内に流入した空気は、第１ダクト空間Ｄ１内を上方に向けて流れ、冷蔵用冷却器４１によって冷却される。冷蔵用冷却器４１によって冷却された冷気は、複数の冷蔵室冷気吹出口３１ａから冷蔵室２７Ａに吹き出され、チルド室冷気吹出口３１ｂからチルド室２７ＡＡに吹き出される。冷蔵室２７Ａおよびチルド室２７ＡＡに吹き出された冷気は、冷蔵室２７Ａおよびチルド室２７ＡＡをそれぞれ流れた後、例えば野菜室２７Ｂを経由して、再び冷気戻り口３１ｃに戻る。これにより、冷蔵室２７Ａ、チルド室２７ＡＡ、および野菜室２７Ｂを流れる冷気が冷蔵庫１内で循環され、冷蔵室２７Ａ、チルド室２７ＡＡ、および野菜室２７Ｂの冷却が行われる。
【００２６】
一方で、第２冷却モジュール４５は、例えば、冷凍用冷却器４６と、冷凍用ファン４８とを含む。冷凍用冷却器４６は、第２ダクト空間Ｄ２に配置されている。冷凍用冷却器４６は、後述する圧縮機４９により圧縮された冷媒が供給され、第２ダクト空間Ｄ２を流れる冷気を冷却する。
【００２７】
冷凍用ファン４８は、例えば、第２ダクト部品３２の冷気戻り口３２ｂに設けられている。冷凍用ファン４８は、「第２送風機」の一例である。冷凍用ファン４８が駆動されると、主冷凍室２７Ｅの空気が冷気戻り口３２ｂから第２ダクト空間Ｄ２内に流入する。第２ダクト空間Ｄ２内に流入した空気は、第２ダクト空間Ｄ２内を上方に向けて流れ、冷凍用冷却器４６によって冷却される。冷凍用冷却器４６によって冷却された冷気は、冷気吹出口３２ａから製氷室２７Ｃ、小冷凍室２７Ｄ、および主冷凍室２７Ｅに流入する。製氷室２７Ｃおよび小冷凍室２７Ｄに流入した冷気は、製氷室２７Ｃおよび小冷凍室２７Ｄをそれぞれ流れた後、主冷凍室２７Ｅを経由して、再び冷気戻り口３２ｂに戻る。これにより、製氷室２７Ｃ、小冷凍室２７Ｄ、および主冷凍室２７Ｅを流れる冷気が冷蔵庫１内で循環され、製氷室２７Ｃ、小冷凍室２７Ｄ、および主冷凍室２７Ｅの冷却が行われる。
【００２８】
圧縮機４９は、例えば、冷蔵庫１の底部の機械室に設けられている。圧縮機４９は、貯蔵室２７の冷却に用いられる冷媒ガスを圧縮する。圧縮機４９により圧縮された冷媒ガスは、後述する凝縮器５１などを経由して、冷蔵用冷却器４１および冷凍用冷却器４６に送られる。
【００２９】
なお本明細書において「冷却する」とは、冷蔵用ファン４３や冷凍用ファン４８が駆動される場合に限定されない。例えば、「冷却する」とは、冷蔵用ファン４３の駆動が停止された状態で圧縮機４９から冷蔵用冷却器４１に冷媒が送られ、冷蔵用冷却器４１とチルド室２７ＡＡとの間の伝熱によりチルド室２７ＡＡの温度が低下する場合なども含む。
【００３０】
制御基板１６は、例えば、筐体１０の上壁２１に設けられている。本実施形態では、筐体１０の上壁２１の上面は、下方に向けて窪んだ凹部２１ａを有する。制御基板１６は、凹部２１ａに配置されている。
【００３１】
［２．冷凍サイクル装置］
上述のように構成された冷蔵庫１は、後述する制御部１００によって制御される冷凍サイクル装置５０によって冷却される。
【００３２】
［２．１．冷凍サイクル装置の構成］
図３は、冷凍サイクル装置５０の構成を示す図である。冷凍サイクル装置５０は、冷媒の流れ順に、圧縮機４９と、凝縮器５１と、ドライヤ５２と、三方弁５３と、キャピラリーチューブ５４，５５と、冷蔵用冷却器４１と、冷凍用冷却器４６とが環状に接続されることにより構成される。圧縮機４９の高圧吐出口には、凝縮器５１とドライヤ５２とが順に接続パイプ５６を介して接続されている。ドライヤ５２の吐出側には、三方弁５３が接続されている。三方弁５３は、ドライヤ５２が接続される１つの入口と、２つの出口とを有している。三方弁５３の２つの出口のうち、一方の出口には冷蔵側キャピラリーチューブ５４と冷蔵用冷却器４１とが順に接続されている。冷蔵用冷却器４１は、接続配管である冷蔵側サクションパイプ５７を介して圧縮機４９に接続されている。
【００３３】
三方弁５３の２つの出口のうち、他方の出口には、冷凍側キャピラリーチューブ５５と冷凍用冷却器４６とが順に接続されている。冷凍用冷却器４６は、接続配管である冷凍側サクションパイプ５８を介して圧縮機４９に接続されている。なお、冷凍用冷却器４６と圧縮機４９との間には、冷蔵用冷却器４１からの冷媒が冷凍用冷却器４６側に逆流しないための逆止弁５９が設けられている。
【００３４】
［２．２．冷凍サイクル装置の冷媒の流れ］
次に、冷凍サイクル装置５０の冷媒の流れを説明する。まず、冷凍サイクル装置５０を循環する冷媒は、圧縮機４９により圧縮されて、高温、高圧のガス状冷媒となり、流路Ａを流れる。このガス状冷媒は、凝縮器５１により放熱されて、中温、高圧の液状冷媒となる。その後、ドライヤ５２を通ることで汚れや水分などの不純物が取り除かれた液状冷媒は、三方弁５３により絞り制御されながら、冷蔵側キャピラリーチューブ５４（または冷凍側キャピラリーチューブ５５）に入る。このとき、冷蔵側キャピラリーチューブ５４（または冷凍側キャピラリーチューブ５５）内の中温、高圧の液状冷媒は、冷蔵側サクションパイプ５７（または冷凍側サクションパイプ５８）内の冷媒と熱交換されながら減圧される。そして、減圧された冷媒は、冷蔵用冷却器４１（または冷凍用冷却器４６）を通過しながら蒸発することで、冷蔵用冷却器４１（または冷凍用冷却器４６）が冷却される。
【００３５】
その後、低温、低圧のガス状となった冷媒は、冷蔵側サクションパイプ５７（または冷凍側サクションパイプ５８）に流入する。冷蔵側サクションパイプ５７（または冷凍側サクションパイプ５８）に流入した直後の冷媒ガスの温度は、−１０℃前後と低温である。この冷媒ガスは、サクションパイプ５７（またはサクションパイプ５８）を通る間に、キャピラリーチューブ５４（またはキャピラリーチューブ５５）内の冷媒と熱交換されて、最終的には室温程度にまで昇温される。そして、この冷媒ガスが、圧縮機４９に再び吸入されて、冷媒の循環が完了する。
【００３６】
上記の冷凍サイクル装置５０において、三方弁５３は、制御部１００（図４参照）によって制御され、流路Ｂおよび流路Ｃのうち例えば一方を選択する。流路Ｂは、冷媒を冷蔵用冷却器４１に供給する流路である。流路Ｃは、冷媒を冷凍用冷却器４６に供給する流路である。これら２つの流路Ｂ，Ｃは、合流点Ｄにおいて合流する。冷媒は、合流点Ｄから矢印Ｅの方向に流れて圧縮機４９へと戻る。
【００３７】
［３．制御］
［３．１  制御に関する機能構成］
図４は、冷蔵庫１の機能構成の一部を示すブロック図である。制御基板１６は、マイコンやタイマなどを有したコンピュータで構成される制御部１００を備える。制御部１００は、冷蔵庫１の全体を制御する。制御部１００には、冷蔵用ファン４３、冷凍用ファン４８、圧縮機４９、三方弁５３、冷蔵室温度センサ１１０、チルド室温度センサ１１１、冷凍室温度センサ１１２、記憶部１１６、および操作パネル部１５０が接続されている。
【００３８】
冷蔵室温度センサ１１０は、冷蔵室２７Ａに設けられ、冷蔵室２７Ａの空気温度を検出する。チルド室温度センサ１１１は、チルド室２７ＡＡに設けられ、チルド室２７ＡＡの空気温度を検出する。冷凍室温度センサ１１２は、例えば主冷凍室２７Ｅに設けられ、主冷凍室２７Ｅの空気温度を検出する。以下では、後述する冷凍運転の温度管理について主冷凍室２７Ｅの温度が主対象になる場合について説明する。なお、冷凍運転の温度管理は、主冷凍室２７Ｅに代えて、製氷室２７Ｃまたは小冷凍室２７Ｄの温度を主対象としてもよい。このため以下の説明における「主冷凍室２７Ｅ」は、「製氷室２７Ｃ」または「小冷凍室２７Ｄ」と読み替えられてもよい。本明細書では、冷蔵室２７Ａの空気温度を「冷蔵室温度」と称し、チルド室２７ＡＡの空気温度を「チルド室温度」と称し、主冷凍室２７Ｅの空気温度を「冷凍室温度」と称する場合がある。
【００３９】
本明細書において、チルド室温度センサ１１１により検出されるチルド室２７ＡＡの空気温度は、「温度センサの検出結果に基づいて得られる温度値」の一例である。なお、冷蔵庫１は、チルド室温度センサ１１１を省略し、冷蔵室温度センサ１１０の検出結果と、冷蔵室２７Ａの空気温度とチルド室２７ＡＡの空気温度との相関関係とに基づきチルド室２７ＡＡの空気温度を推定してもよい。この場合、推定されたチルド室温度は、「温度センサの検出結果に基づいて得られる温度値」の一例であり、「チルド室温度」の一例である。
【００４０】
記憶部１１６は、冷蔵庫１の運転に必要な情報を記憶する。記憶部１１６は、例えば、後述する複数の制御モードの実行の優先順位を示す情報（優先順位情報）が記憶されている。この優先順位情報は、例えば、各制御モードの特徴を踏まえて定められ、記憶部１１６に予め登録されている。
【００４１】
操作パネル部１５０は、各貯蔵室２７の設定温度帯の切り替えや制御モードの切り替え（別の制御モードの開始）を指示するユーザの操作を受け付けるとともに、それらの設定内容や現在の運転状況を表示させる。操作パネル部１５０は、例えば、いわゆるタッチ式の操作パネル部であり、静電容量式スイッチによって構成されるタッチセンサを含む。なお、後述する制御モードの開始指示などは、操作パネル部１５０に限らず、ネットワークを通じたユーザの遠隔操作によって入力されてもよい。
【００４２】
［３．２  基本運転］
次に、冷蔵庫１の基本運転について説明する。制御部１００は、冷蔵庫１の基本運転として、「冷蔵運転」および「冷凍運転」を実行する。「冷蔵運転」とは、三方弁５３が切り替えられて圧縮機４９から冷蔵用冷却器４１に液体冷媒が供給される運転を意味する。なお上述したように、「冷蔵運転」は、冷蔵用ファン４３が駆動される場合に限定されず、冷蔵用ファン４３が停止している場合や、非常に低速で駆動される場合なども含む。一方で、「冷凍運転」は、三方弁５３が切り替えられて圧縮機４９から冷凍用冷却器４６に液体冷媒が供給される運転を意味する。
【００４３】
制御部１００は、例えば、冷蔵運転と冷凍運転とを交互に行うことにより、冷蔵温度帯の貯蔵室２７（冷蔵室２７Ａ、チルド室２７ＡＡ、野菜室２７Ｂ）と、冷凍温度帯の貯蔵室２７（製氷室２７Ｃ、小冷凍室２７Ｄ、主冷凍室２７Ｅ）とがそれぞれの設定温度帯に保たれるように、冷却部１５を制御する。例えば、制御部１００は、第１所定時間（例えば２０分）に亘り冷蔵温度帯の貯蔵室２７を冷却し、第２所定時間（例えば４０分）に亘り冷凍温度帯の貯蔵室２７を冷却することを交互に繰り返す。
【００４４】
なお、制御部１００は、冷蔵運転中に、冷蔵室温度が冷蔵室２７Ａの設定温度帯の下限値に達した場合（または、チルド室温度がチルド室２７ＡＡの設定温度帯の下限値に達した場合）や、冷凍室温度が主冷凍室２７Ｅの設定温度帯の上限値に達した場合などに、第１所定時間の途中であっても冷蔵運転を終了して冷凍運転を開始してもよい。また、制御部１００は、冷凍運転中に、冷凍室温度が主冷凍室２７Ｅの設定温度帯の下限値に達した場合や、冷蔵室温度が冷蔵室２７Ａの設定温度帯の上限値に達した場合（または、チルド室温度がチルド室２７ＡＡの設定温度帯の上限値に達した場合）などに、第２所定時間の途中であっても冷凍凍転を終了して冷蔵運転を開始してもよい。
【００４５】
ここで、冷蔵運転が行われる間は、冷蔵温度帯の貯蔵室２７の空気温度は低下するが、冷凍温度帯の貯蔵室２７の空気温度は上昇する。一方で、冷凍運転が行われる間は、冷凍温度帯の貯蔵室２７の空気温度は低下するが、冷蔵温度帯の貯蔵室２７の空気温度は上昇する。このため、冷蔵温度帯の貯蔵室２７の空気温度と、冷凍温度帯の貯蔵室２７の空気温度は、それぞれ鋸歯状に上下することを繰り返す（図５、図６参照）。
【００４６】
［３．３  設定温度帯と目標温度帯］
次に、「設定温度帯」と「目標温度帯」について説明する。「設定温度帯」は、冷蔵運転および冷凍運転のそれぞれにおいて、温度管理の主対象となる貯蔵室２７（例えば、冷蔵室２７Ａ、チルド室２７ＡＡ、主冷凍室２７Ｅ）の空気温度が維持される温度範囲を意味する。「設定温度帯」とは、上限値と下限値とにより規定される温度範囲を意味する。
【００４７】
制御部１００は、例えば、冷蔵室温度（またはチルド室温度）や冷凍室温度に基づくＰＩＤ制御（Proportional Integral Differential Control）のようなフィードバック制御を行うことで、温度管理の主対象となる貯蔵室２７の空気温度を設定温度帯の上限値と下限値との間に収める。例えば、制御部１００は、冷蔵室温度（またはチルド室温度、冷凍室温度）と、設定温度帯の下限値との差が大きい場合、圧縮機４９の運転周波数を高く設定するとともに、冷蔵用ファン４３（または冷凍室用ファン４８）の回転数を高く設定する。一方で、制御部１００は、冷蔵室温度（またはチルド室温度、冷凍室温度）と、設定温度帯の下限値との差が小さい場合、圧縮機４９の運転周波数を低く設定するとともに、冷蔵用ファン４３（または冷凍室用ファン４８）の回転数を低く設定する。
【００４８】
ここで「設定温度帯」としては、冷蔵運転と冷凍運転のそれぞれについて、複数の段階（複数のレベル）が設けられている。冷蔵運転の設定温度帯として例えば３段階の設定温度帯が設けられる場合、冷蔵運転の設定温度帯は、冷蔵運転強設定（以下「Ｒ強設定」と称する）、冷蔵運転中設定（以下「Ｒ中設定」と称する）、および冷蔵運転弱設定（以下「Ｒ弱設定」と称する）を含む。「Ｒ強設定」の設定温度帯の上限値および下限値は、「Ｒ中設定」の設定温度帯の上限値および下限値よりも低い。「Ｒ中設定」の設定温度帯の上限値および下限値は、「Ｒ弱設定」の設定温度帯の上限値および下限値よりも低い。このため、「Ｒ強設定」が選択されると、同じ冷蔵室温度（または同じチルド室温度）で「Ｒ中設定」が選択される場合と比べて、圧縮機４９の運転周波数が高く設定されるとともに、冷蔵用ファン４３の回転数が高く設定される。一方で、「Ｒ弱設定」が選択されると、同じ冷蔵室温度（または同じチルド室温度）で「Ｒ中設定」が選択される場合と比べて、圧縮機４９の運転周波数が低く設定されるとともに、冷蔵用ファン４３の回転数が低く設定される。なお、冷蔵運転の設定温度帯は、５段階以上でもよい。
【００４９】
同様に、冷凍運転の設定温度帯として例えば３段階の設定温度帯が設けられる場合、冷凍運転の設定温度帯は、冷凍運転強設定（以下「Ｆ強設定」と称する）、冷凍運転中設定（以下「Ｆ中設定」と称する）、および冷凍運転弱設定（以下「Ｆ弱設定」と称する）を含む。「Ｆ強設定」の設定温度帯の上限値および下限値は、「Ｆ中設定」の設定温度帯の上限値および下限値よりも低い。「Ｆ中設定」の設定温度帯の上限値および下限値は、「Ｆ弱設定」の設定温度帯の上限値および下限値よりも低い。このため、「Ｆ強設定」が選択されると、同じ冷凍室温度で「Ｆ中設定」が選択される場合と比べて、圧縮機４９の運転周波数が高く設定されるとともに、冷凍用ファン４８の回転数が高く設定される。一方で、「Ｆ弱設定」が選択されると、同じ冷凍室温度で「Ｆ中設定」が選択される場合と比べて、圧縮機４９の運転周波数が低く設定されるとともに、冷凍用ファン４８の回転数が低く設定される。なお、冷凍運転の設定温度帯は、５段階以上でもよい。
【００５０】
一方で、本明細書において「目標温度帯」とは、「設定温度帯」よりも広い意味で用いられている。「設定温度帯」は、「目標温度帯」の一例である。ただし、「目標温度帯」は、「設定温度帯」に限定されない。例えば、制御部１００は、後述する特定の制御モードにおいて、選択された設定温度帯を基準として、温度管理の主対象となる貯蔵室２７の空気温度が維持される温度範囲の上限値と下限値とのうち少なくとも一方を１℃単位で上下させてもよい。このような調整された温度範囲は、「目標温度帯」の一例である。
【００５１】
［４．  制御モード］
次に、制御部１００が実行可能ないくつかの制御モードについて説明する。なお以下で説明する「基本運転」とは、例えば、「Ｒ中設定」で冷蔵運転を行い、「Ｆ中設定」で冷凍運転を行うものとする。
【００５２】
＜急速冷凍＞
「急速冷凍」の制御モードは、基本運転と比べて主冷凍室２７Ｅの空気温度を一気に低下させる制御モードである。このような「急速冷凍」によれば、食品の水分が凍る−１℃〜−５℃の温度帯を急速に通過させることで、冷凍時の食品の細胞損傷を抑制することができる。「急速冷凍」の制御モードでは、所定時間（例えば１８０分）に亘り「Ｆ強設定」が選択される。なおここで言う「所定時間（例えば１８０分）に亘り」とは、その所定時間の間、継続して冷凍運転が行われるという意味ではなく、「所定時間（例えば１８０分）」の間に冷蔵運転と冷凍運転とが交互に行われ、その間に行われる冷凍運転の設定が「Ｆ強設定」になることを意味する。この定義は以下の説明でも同様である。
【００５３】
本実施形態の「急速冷凍」の制御モードでは、さらに、冷凍運転の実施時間の基準となる第２所定時間（例えば４０分）が、第２所定時間よりも長い第３所定時間（例えば６０分）に延長される。すなわち、「急速冷凍」の制御モードが実行されると、第１所定時間（例えば２０分）に亘り冷蔵運転が行われ、第３所定時間（例えば６０分）に亘り冷凍運転が行われることが交互に繰り返される。また本実施形態の「急速冷凍」の制御モードでは、さらに、冷凍運転が行われる間の冷蔵室２７Ａ（またはチルド室２７ＡＡ）の目標温度帯の上限値および下限値がそれぞれ所定温度（例えば＋１℃）ずつ高められる。これにより、冷凍運転の持続時間を長くしたり、冷蔵運転から冷凍運転への切り替えを早めたりすることができる。ただし、「急速冷凍」の制御モードは、上記例に限定されず、第２所定時間に対する延長および目標温度帯の変更は、いずれか一方のみが行われてもよいし、いずれも行われなくてもよい。「急速冷凍」の制御モードは、「第１制御モード」の一例であり、「固定時間」の制御モードの一例である。また「急速冷凍」の制御モードは、「チルド室２７ＡＡの平均温度の上昇を伴う制御モード」の一例であり、「チルド室２７ＡＡの平均温度がプラス温度帯（すなわち０℃よりも高い温度帯）になる制御モード」の一例である。
【００５４】
＜急速製氷＞
「急速製氷」の制御モードは、基本運転と比べて製氷室２７Ｃの空気温度を一気に低下させる制御モードである。このような「急速製氷」によれば、基本運転と比べて製氷時間を短縮することができる。「急速製氷」の制御モードでは、所定時間（例えば１２０分）に亘り「Ｆ強設定」が選択される。また本実施形態の「急速製氷」の制御モードでは、さらに、冷凍運転の実施時間の基準となる第２所定時間（例えば４０分）が、第２所定時間よりも長い第３所定時間（例えば６０分）に延長される。すなわち、「急速製氷」の制御モードが実行されると、第１所定時間（例えば２０分）に亘り冷蔵運転が行われ、第３所定時間（例えば６０分）に亘り冷凍運転が行われることが交互に繰り返される。また本実施形態の「急速製氷」の制御モードでは、さらに、冷凍運転が行われている間の冷蔵室２７Ａ（またはチルド室２７ＡＡ）の目標温度帯の上限値および下限値がそれぞれ所定温度（例えば＋１℃）ずつ高められる。ただし、「急速製氷」の制御モードは、上記例に限定されず、第２所定時間に対する延長および目標温度帯の変更は、いずれか一方のみが行われてもよいし、いずれも行われなくてもよい。「急速製氷」の制御モードは、「第１制御モード」の一例であり、「固定時間」の制御モードの一例である。また「急速製氷」の制御モードは、「チルド室２７ＡＡの平均温度の上昇を伴う制御モード」の一例であり、「チルド室２７ＡＡの平均温度がプラス温度帯になる制御モード」の一例である。
【００５５】
＜通常チルド＞
「通常チルド」の制御モードは、例えば、基本運転における冷蔵室２７Ａの冷却に付随してチルド室２７ＡＡの冷却が行われる制御モードである。すなわち、「通常チルド」の制御モードでは、検出された冷蔵室温度と、冷蔵室２７Ａの設定温度帯とに基づいて冷却部１５が制御され、冷蔵室２７Ａおよびチルド室２７ＡＡの冷却が行われる。「通常チルド」の制御モードでは、チルド室温度は、例えば０〜１℃を平均温度とする一定の温度帯に収まる。
【００５６】
＜急速チルド＞
「急速チルド」の制御モードでは、通常チルドと比べてチルド室２７ＡＡの空気温度を一気に低下させる制御モードである。このような「急速チルド」によれば、チルド室２７ＡＡに新しく入れられた食品の温度を一気に下げることができ、食品の鮮度低下を抑制することができる。「急速チルド」の制御モードでは、所定時間（例えば６０分）に亘り「Ｒ強設定」が選択される。「急速チルド」の制御モードでは、チルド室温度は、例えば０．５℃を平均温度とする一定の温度帯に収まる。「急速チルド」の制御モードは、例えば、冷蔵室温度に代えて、チルド室温度に基づいて冷却部１５が制御される。「急速チルド」の制御モードは、「第１制御モード」の一例であり、「固定時間」の制御モードの一例である。また「急速チルド」の制御モードは、「チルド室２７ＡＡの平均温度がプラス温度帯になる制御モード」の一例である。
【００５７】
＜解凍＞
「解凍」の制御モードでは、通常チルドと比べてチルド室２７ＡＡの空気温度を上昇させてチルド室２７ＡＡの食品の解凍を促進させる制御モードである。「解凍」の制御モードでは、所定時間（例えば６０分）に亘り「Ｒ弱設定」が選択される。「解凍」の制御モードでは、チルド室温度は、例えば１．５℃を平均温度とする一定の温度帯に収まる。「解凍」の制御モードは、例えば、冷蔵室温度に代えて、チルド室温度に基づいて冷却部１５が制御される。「解凍」の制御モードは、「第１制御モード」の一例であり、「固定時間」の制御モードの一例である。また「解凍」の制御モードは、「チルド室２７ＡＡの平均温度の上昇を伴う制御モード」の一例であり、「チルド室２７ＡＡの平均温度がプラス温度帯になる制御モード」の一例である。
【００５８】
＜特別チルド＞
「特別チルド」の制御モードでは、チルド室２７ＡＡが低温温度帯で冷却される時間と、チルド室２７ＡＡが高温温度帯で冷却される時間とが交互に繰り返される。以下このような「特別チルド」について詳しく説明する。「特別チルド」の制御モードは、例えば、冷蔵室温度に代えて、チルド室温度に基づいて冷却部１５が制御される。「特別チルド」の制御モードは、「第２制御モード」の一例である。
【００５９】
図５は、「特別チルド」の制御モードが実行される場合のチルド室２７ＡＡの空気温度の変化を示す図である。制御部１００は、「特別チルド」の制御モードでは、チルド室２７ＡＡを第１温度帯Ｔａで冷却する低温冷却制御と、チルド室２７ＡＡを第１温度帯Ｔａよりも高い第２温度帯Ｔｂで冷却する高温冷却制御とを交互に繰り返す。
【００６０】
第１温度帯Ｔａの平均温度は、例えば−５℃である。第１温度帯Ｔａの平均温度は、氷点以下の温度であり、０℃未満の温度である。本実施形態では、第１温度帯Ｔａの最大値は、０℃未満の温度である。第１温度帯Ｔａは、チルド室２７ＡＡの食品の表面を微凍結させる温度である。第１温度帯Ｔａは、「通常チルド」の温度帯よりも低い温度帯である。第１温度帯Ｔａは、チルド室２７ＡＡの食品の真ん中のほうまで氷結させるのではなく、表面のみに氷結した層を作ることができる温度帯である。低温冷却制御は、所定の実施時間Ｓａ（例えば２時間）に亘り実施される。
【００６１】
第２温度帯Ｔｂは、高温冷却制御時のチルド室２７ＡＡの設定温度帯である。第２温度帯Ｔｂの平均温度は、例えば＋１℃である。第２温度帯Ｔｂの平均温度は、氷点よりも高い温度であり、０℃以上の温度である。本実施形態では、第２温度帯Ｔｂの最大値は、０℃以上の温度である。第２温度帯Ｔｂは、「通常チルド」の温度帯よりも高い温度帯である。第２温度帯Ｔｂは、チルド室２７ＡＡの食品の表面を作られた微凍結の層を融解させることができる温度である。高温冷却制御は、低温冷却制御の実施時間Ｓａよりも長い所定の実施時間Ｓｂ（例えば７時間）に亘り実施される。
【００６２】
このような「特別チルド」の制御モードによれば、所定の実施時間Ｓａ（例えば２時間）の間、例えば−５℃を平均温度とする低温冷却制御と、所定の実施時間Ｓｂ（例えば７時間）の間、例えば＋１℃を平均温度とする高温冷却制御とを交互に繰り返すことで、食品表面のみ微凍結することにより、食品の乾燥および酸化を抑制することができる。これにより、通常チルドと比べて食品の鮮度をより長く維持することができる。
【００６３】
なお本明細書において「ある温度帯が別の温度帯よりも高い」とは、「ある温度帯の平均温度が、別の温度帯の平均温度よりも高い」という意味であり、「ある温度帯」の一部に「別の温度帯」の一部が重なる場合も含む。同様に、「ある温度帯が別の温度帯よりも低い」とは、「ある温度帯の平均温度が、別の温度帯の平均温度よりも低い」という意味であり、「ある温度帯」の一部に「別の温度帯」の一部が含まれている場合も含む。なお図６以降に示す例では、理解容易のため、「特別チルド」の制御モードにおいて、第１温度帯Ｔａと第２温度帯Ｔｂとが重ならない場合を取り上げている。
【００６４】
［５．  複数の制御モードが受け付けられた場合の制御］
本実施形態では、制御部１００は、第１制御モード（例えば、「急速冷凍」、「急速製氷」、「急速チルド」、「解凍」などの各制御モード）と第２制御モード（「特別チルド」の制御モード）とのうち一方の制御モードの実行中に他方の制御モードの開始指示が受け付けられた場合（例えばユーザによる操作が操作パネル部１５０により受け付けられた場合）、所定の優先順位（例えば記憶部１１６に記憶された優先順位情報）に基づき、上記第１制御モードの内容変更、上記第２制御モードの内容変更、上記一方の制御モードの早期終了または中断、および上記他方の制御モードの開始延期のうち少なくとも１つを行う。
【００６５】
「所定の優先順位」とは、例えば、後に開始指示が受け付けられた制御モードを優先する、固定時間の制御モード（すなわち、実施時間に上限がある制御モード）を優先する、「特別チルド」の制御モードを優先する、或いは、ある条件が成立する場合は第１制御モードを優先し、別の条件が成立する場合は第２制御モード（「特別チルド」の制御モード）を優先するなどであるが、これらに限定されない。
【００６６】
ここで、本明細書において「優先する」とは、非優先の制御モードを早期終了または中断して優先の制御モードを開始することに限定されない。「優先する」とは、例えば、優先の制御モードと非優先の制御モードとが並行して実行されるとともに、優先の制御モードの内容が基準設定から変更されずに非優先の制御モードの内容が基準設定から変更される場合や、優先の制御モードの内容が基準設定から相対的に小さく変更され、非優先の制御モードの内容が基準設定から相対的に大きく変更される場合なども含む。なお本明細書において「基準設定」とは、第１制御モードと第２制御モードとのうち一方の制御モードが終了した後に他方の制御モードの開始指示が受け付けられる場合（例えば、一方の制御モードが終了してから所定時間経過後に他方の制御モードの開始指示が受け付けられる場合）における第１制御モードおよび第２制御モードの内容（設定）を意味する。上記所定時間は、上記一方の制御モードによる影響が無くなるまたは小さくなるための時間であり、例えば１時間である。これら定義は以下の説明においても同様である。
【００６７】
また本明細書において「内容を変更する」とは、例えば、制御の実施時間、圧縮機４９の制御量（例えば運転周波数）、および冷蔵用ファン４３（または冷凍用ファン４８）の制御量（例えば回転数）のうち少なくとも１つを変更することを意味する。
【００６８】
以下、所定の優先順位に基づくいくつかの実施例について説明する。なお以下に説明する実施例は、１つの冷蔵庫１において適宜組み合わされて実施可能である。
【００６９】
＜５．１  第１制御モードの実行中に第２制御モードが受け付けられる場合＞
まず、第１制御モードの実行中に第２制御モードが受け付けられる場合についていくつかの実施例を説明する。
【００７０】
（第１実施例）
図６は、第１実施例を説明するための図である。第１実施例は、第１制御モードの実行中に「特別チルド」の制御モードの開始指示が受け付けられた場合、所定の優先順位に基づき第１制御モードが優先して実行され、第１制御モードの固定時間の終了後に「特別チルド」の制御モードが実行される例である。図６に示す例では、第１制御モードは「急速冷凍」である。ただし、第１制御モードは、「急速冷凍」に限定されず、「急速製氷」や「急速チルド」、「解凍」などでもよい。
【００７１】
詳しく述べると、第１実施例では、第１時点ｔ１よりも以前は、「通常チルド」の制御モードによってチルド室２７ＡＡの冷却が行われている。そして、第１時点ｔ１において、「急速冷凍」の制御モードの開始指示が受け付けられる。この場合、制御部１００は、第１時点ｔ１から「急速冷凍」の制御モードを実行する。例えば、主冷凍室２７Ｅの設定温度帯が「Ｆ強設定」に変更されるとともに、例えば１回４０分だった冷凍運転の実施時間が１回６０分に延長される。その結果、第１時点ｔ１から冷凍室温度が急速に低下する。一方で、第１時点ｔ１からチルド室温度は上昇する。
【００７２】
次に、第２時点ｔ２において、「特別チルド」の開始指示が受け付けられる。ただし、制御部１００は、第２時点ｔ２で「特別チルド」の制御モードを開始することはせず、「急速冷凍」の固定時間（例えば上述した所定時間である３時間）が終了するまで「特別チルド」の制御モードの開始を延期する。そして、制御部１００は、「急速冷凍」の固定時間が終了した第３時点ｔ３において、「特別チルド」の制御モードを開始する。例えば、制御部１００は、まず、第３時点ｔ３から第１温度帯Ｔａ（例えば平均温度が−５℃）での低温冷却制御を所定時間Ｓａ（例えば２時間）に亘り実施し、次に、第４時点ｔ４から第２温度帯Ｔｂ（例えば平均温度が＋１℃）での高温冷却制御を所定時間Ｓｂ（例えば７時間）に亘り実施する。以降、制御部１００は、同様の低温冷却制御と高温冷却制御とを交互に繰り返す。
【００７３】
このような構成によれば、先に実行中の第１制御モードの内容を確実に実施してから、第２制御モードに移行することができる。これにより、冷蔵庫１のより適切な冷却制御を行うことができる。
【００７４】
なお、制御部１００は、第１制御モードがチルド室２７ＡＡの平均温度の上昇を伴う制御モードの場合、「特別チルド」の制御モードを開始した直後の低温冷却制御（１回目の低温冷却制御）の第１温度帯Ｔａを、２回目以降の低温冷却制御の第１温度帯Ｔａよりも低くしてもよい。また上記に代えて／加えて、制御部１００は、第１制御モードがチルド室２７ＡＡの平均温度の上昇を伴う制御モードの場合、「特別チルド」の制御モードを開始した直後の低温冷却制御（１回目の低温冷却制御）の実施時間である所定時間Ｓａを、２回目以降の低温冷却制御の所定時間Ｓａよりも長くしてもよい。
【００７５】
１回目の第１温度帯Ｔａを低くすること、および／または、１回目の所定時間Ｓａを長くすることは、「第２制御モードの内容を基準設定から変更する」こと、および「低温冷却制御の内容を基準設定から変更する」ことのそれぞれ一例である。また１回目の第１温度帯Ｔａを低くすることは、「低温冷却制御の目標温度帯を基準設定から変更する」ことの一例である。また１回目の所定時間Ｓａを長くすることは、「低温冷却制御の実施時間を基準設定から変更する」ことの一例である。
【００７６】
（第２実施例）
図７は、第２実施例を説明するための図である。第２実施例は、第１制御モードの実行中に「特別チルド」の制御モードの開始指示が受け付けられた場合、第１制御モードと「特別チルド」の制御モードとが並行して実行されるとともに、所定の優先順位に基づき第１制御モードが優先して実行され、「特別チルド」の制御モードの内容（設定）が第１制御モードの影響を受けた特別設定に変更される例である。図７に示す例では、第１制御モードは「急速冷凍」である。なお本実施例では、説明を簡単にするため、「急速冷凍」の制御モードが５時間に亘り実施される例を説明する。ただし「急速冷凍」の実施時間は、実際にはもっと短くてよい。これらは第３から第５の実施例でも同様である。また第１制御モードは、「急速冷凍」に限定されず、「急速製氷」などでもよい。
【００７７】
詳しく述べると、第２実施例では、第２時点ｔ２よりも以前は、第１実施例と同じである。第２実施例では、制御部１００は、第２時点ｔ２において「特別チルド」の制御モードの開始指示が受け付けられると、第２時点ｔ２から「特別チルド」の制御モードを開始する。すなわち、第２時点ｔ２以降の一定期間は、「急速冷凍」の制御モードと「特別チルド」の制御モードとが並行して実行される。
【００７８】
具体的には、図７に示す例では、制御部１００は、第２時点ｔ２から低温冷却制御を所定時間Ｓａ（例えば２時間）に亘り実施し、第３時点ｔ３から高温冷却制御を所定時間Ｓｂ（例えば７時間）に亘り実施する。以降、制御部１００は、同様の低温冷却制御と高温冷却制御とを交互に繰り返す。一方で、「急速冷凍」の制御モードは、第３時点ｔ３よりも後の第４時点ｔ４まで実行される。
【００７９】
ここで本実施例では、制御部１００は、「急速冷凍」に関する制御の一部として、低温冷却制御の実施時間と「急速冷凍」の制御モードの実施時間とが重なっている期間（第２時点ｔ２から第３時点ｔ３）において、低温冷却制御の内容を基準内容から変更する。具体的には、制御部１００は、第２時点ｔ２から第３時点ｔ３における低温冷却制御の第１温度帯（目標温度帯）Ｔａ’を、低温冷却制御の基準設定の第１温度帯Ｔａよりも高く設定する。例えば、制御部１００は、第１温度帯Ｔａ’の上限値および下限値を、第１温度帯Ｔａの上限値および下限値よりもそれぞれ所定温度（例えば＋１℃）ずつ高くする。また本実施例では、制御部１００は、第２時点ｔ２から第３時点ｔ３における１回あたりの冷凍運転の実施時間を、基準設定の所定時間（例えば４０分）よりも長い所定時間（例えば６０分）に延長する。このため、第２時点ｔ２から第３時点ｔ３における低温冷却制御では、第１所定時間（例えば２０分）に亘りチルド室２７ＡＡの冷却が行われ、第３所定時間（例えば６０分）に亘りチルド室２７ＡＡの冷却が待機されることが交互に繰り返される。
【００８０】
また本実施例では、制御部１００は、「急速冷凍」に関する制御の一部として、高温冷却制御の実施時間と「急速冷凍」の制御モードの実施時間とが重なっている期間（第３時点ｔ３から第４時点ｔ４）において、高温冷却制御の内容を基準内容から変更する。具体的には、制御部１００は、第３時点ｔ３から第４時点ｔ４における高温却制御の第２温度帯（目標温度帯）Ｔｂ’を、高温冷却制御の基準設定の第２温度帯Ｔｂよりも高く設定する。例えば、制御部１００は、第２温度帯Ｔｂ’の上限値および下限値を、第２温度帯Ｔｂの上限値および下限値よりもそれぞれ所定温度（例えば＋１℃）ずつ高くする。また本実施例では、制御部１００は、第３時点ｔ３から第４時点ｔ４における１回あたりの冷凍運転の実施時間を、基準設定の所定時間（例えば４０分）よりも長い所定時間（例えば６０分）に延長する。
【００８１】
このような構成によれば、先に実行中の第１制御モードの内容を優先しながら、第２制御モードを並行して実行することができる。これにより、冷蔵庫１のより適切な冷却制御を行うことができる。
【００８２】
（第３実施例）
図８は、第３実施例を説明するための図である。第３実施例は、第１制御モードの実行中に「特別チルド」の制御モードの開始指示が受け付けられた場合、第１制御モードと「特別チルド」の制御モードとが並行して実行されるとともに、所定の優先順位に基づき第１制御モードの実行が部分的に優先され、「特別チルド」の制御モードの高温冷却制御の内容（設定）が第１制御モードの影響を受けた特別設定に変更される例である。図８に示す例では、第１制御モードは「急速冷凍」である。なお第１制御モードは、「急速冷凍」に限定されず、「急速製氷」などでもよい。
【００８３】
以下では、第３実施例として、第２実施例と異なる点のみを説明する。本実施例では、制御部１００は、低温冷却制御の実施時間と「急速冷凍」の制御モードの実施時間とが重なっている期間（第２時点ｔ２から第３時点ｔ３）において、「急速冷凍」の制御モードよりも低温冷却制御を優先し、低温冷却制御の内容は基準内容から変更しない。すなわち、制御部１００は、第２時点ｔ２から第３時点ｔ３において、低温冷却制御の基準設定である第１温度帯（目標温度帯）Ｔａでチルド室２７ＡＡを冷却する。また本実施例では、制御部１００は、第２時点ｔ２から第３時点ｔ３における１回あたりの冷凍運転の実施時間を、基準設定の所定時間（例えば４０分）から延長しない。言い換えるとこの場合、「急速冷凍」の制御モードにおける１回あたりの冷凍運転の時間は、基準設定の所定時間（例えば６０分）から、上記所定時間よりも短い所定時間（例えば４０分）に変更される。
【００８４】
一方で本実施例では、制御部１００は、高温冷却制御の実施時間と「急速冷凍」の制御モードの実施時間とが重なっている期間（第３時点ｔ３から第４時点ｔ４）において、高温冷却制御よりも「急速冷凍」の制御モードを優先し、高温冷却制御の内容を基準内容から変更する。具体的には、制御部１００は、第２実施例と同様に、第３時点３から第４時点ｔ４における高温却制御の第２温度帯（目標温度帯）Ｔｂ’を、高温冷却制御の基準設定の第２温度帯Ｔｂよりも高く設定する。また本実施形態では、制御部１００は、第３時点ｔ３から第４時点ｔ４における１回あたりの冷凍運転の実施時間を、基準設定の所定時間（例えば４０分）よりも長い所定時間（例えば６０分）に延長する。すなわち本実施例では、「急速冷凍」の制御モードの実行時に行われる目標温度帯の変更や冷凍運転の実施時間の延長を高温冷却制御のみに反映させる。
【００８５】
このような構成によれば、先に実行中の第１制御モードの内容を優先しながら、低温冷却制御も優先することができる。これにより、例えばチルド室２７ＡＡに新しく入れた食品を比較的早く冷却することができるなど、冷蔵庫１のより適切な冷却制御を行うことができる。
【００８６】
なお、第２時点ｔ２から第３時点ｔ３における低温冷却制御の目標温度帯を基準設定の第１温度帯Ｔａよりも高く設定しないこと、および／または、第２時点ｔ２から第３時点ｔ３における冷凍運転の実施時間を、基準設定の所定時間（例えば４０分）から延長しないことは、「第１制御モードの内容を基準設定から変更する」ことの一例である。
【００８７】
（第４実施例）
図９は、第４実施例を説明するための図である。第４実施例は、第１制御モードの実行中に「特別チルド」の制御モードの開始指示が受け付けられた場合、第１制御モードと「特別チルド」の制御モードとが並行して実行されるとともに、所定の優先順位に基づき「特別チルド」の制御モードが優先される例である。図８に示す例では、第１制御モードは「急速冷凍」である。なお第１制御モードは、「急速冷凍」に限定されず、「急速製氷」などでもよい。
【００８８】
以下では、第４実施例として、第２実施例と異なる点のみを説明する。本実施例では、制御部１００は、「特別チルド」の制御モードの実施時間と「急速冷凍」の制御モードの実施時間とが重なっている期間（第２時点ｔ２から第４時点ｔ４）において、「急速冷凍」の制御モードよりも「特別チルド」の制御モードを優先し、「特別チルド」の制御モードの内容は基準内容から変更しない。すなわち、制御部１００は、第２時点ｔ２から第３時点ｔ３において、低温冷却制御の基準設定である第１温度帯（目標温度帯）Ｔａでチルド室２７ＡＡを冷却し、第３時点ｔ３から第４時点ｔ４において、高温冷却制御の基準設定である第２温度帯（目標温度帯）Ｔｂでチルド室２７ＡＡを冷却する。
【００８９】
また本実施例では、制御部１００は、第２時点ｔ２から第４時点ｔ４における１回あたりの冷凍運転の実施時間を、基準設定の所定時間（例えば４０分）から延長しない。言い換えると、本実施例では、「急速冷凍」の制御モードにおける１回あたりの冷凍運転の実施時間は、基準設定の所定時間（例えば６０分）から、上記所定時間よりも短い所定時間（例えば４０分）に変更される。本実施例では、第２時点ｔ２から第４時点ｔ４における「急速冷凍」の制御モードは、主冷凍室２７Ｅの設定温度が「Ｆ強設定」に設定されることが冷蔵庫１の基本運転から異なる。
【００９０】
このような構成によれば、後から実行される第２制御モードの内容を優先しながら、先に実行していた第１制御モードの実行を続けることができる。これにより、冷蔵庫１のより適切な冷却制御を行うことができる。
【００９１】
なお、第２時点ｔ２から第３時点ｔ３における低温冷却制御の目標温度帯を基準設定の第１温度帯Ｔａよりも高く設定しないこと、第３時点ｔ３から第４時点ｔ４における高温冷却制御の目標温度帯を基準設定の第２温度帯Ｔｂよりも高く設定しないこと、および／または、第２時点ｔ２から第４時点ｔ４における冷凍運転の実施時間を、「特別チルド」の制御モードの基準設定（例えば４０分）から延長しないことは、「第１制御モードの内容を基準設定から変更する」ことの一例である。
【００９２】
（第５実施例）
図１０は、第５実施例を説明するための図である。第５実施例は、第１制御モードの実行中に「特別チルド」の制御モードの開始指示が受け付けられた場合、第１制御モードと「特別チルド」の制御モードとが並行して実行されるとともに、所定の優先順位に基づき第１制御モードが優先され、第２制御モードの低温冷却制御の内容（設定）が第１制御モードの影響を受けた特別設定に変更される例である。図１０に示す例では、第１制御モードは「急速冷凍」である。なお第１制御モードは、「急速冷凍」に限定されず、「急速製氷」などでもよい。
【００９３】
詳しく述べると、第５実施例では、第２時点ｔ２よりも以前は、第２実施例と同じである。第５実施例では、制御部１００は、第２時点ｔ２において「特別チルド」の開始指示が受け付けられると、第２時点ｔ２から「特別チルド」の制御モードを開始する。すなわち、第２時点ｔ２以降の一定期間は、「急速冷凍」の制御モードと「特別チルド」の制御モードとが並行して実行される。
【００９４】
具体的には、図１０に示す例では、制御部１００は、まず、第２時点ｔ２から低温冷却制御を後述する所定時間Ｓａ’（例えば３時間強）に亘り実施し、次に、第４時点ｔ４から高温冷却制御を所定時間Ｓｂ（例えば７時間）に亘り実施する。以降、制御部１００は、基準設定に基づく低温冷却制御（例えば２時間）と高温冷却制御（例えば７時間）とを交互に繰り返す。
【００９５】
ここで本実施例では、制御部１００は、第２実施例と同様に、「急速冷凍」に関する制御の一部として、低温冷却制御の実施時間と「急速冷凍」の制御モードの実施時間とが重なっている期間（本実施例では第２時点ｔ２から第４時点ｔ４）において、低温冷却制御の内容を基準内容から変更する。具体的には、制御部１００は、第２時点ｔ２から第４時点ｔ４における低温冷却制御の第１温度帯（目標温度帯）Ｔａ’を、低温冷却制御の基準設定の第１温度帯Ｔａよりも高く設定する。例えば、制御部１００は、第１温度帯Ｔａ’の上限値および下限値を、第１温度帯Ｔａの上限値および下限値よりもそれぞれ所定温度（例えば＋１℃）ずつ高くする。また本実施例では、制御部１００は、第２時点ｔ２から第４時点ｔ４における１回あたりの冷凍運転の実施時間を、基準設定の所定時間（例えば４０分）よりも長い所定時間（例えば６０分）に延長する。
【００９６】
本実施例では、制御部１００は、低温冷却制御の目標温度帯が変更されること、および冷凍運転の実施時間が延長されることに伴い、「急速冷凍」の制御モードと低温冷却制御とが並行して実行される期間における低温冷却制御の実施時間を、基準設定よりも長くする。本実施形態では、制御部１００は、低温冷却制御を、基準設定である所定時間Ｓａ（例えば２時間）よりも長い所定時間Ｓａ’（例えば３時間強）に亘り、低温冷却制御を実施する。
【００９７】
このような構成によれば、先に実行中の第１制御モードの内容を優先しながら、第２制御モードを実行することができる。また、第１制御モードを優先するために低温冷却制御の目標温度帯が高く設定される場合、低温冷却制御の実施時間を延長することで、チルド室２７ＡＡの食品の表面を適切に氷結させることができる。これにより、冷蔵庫１のより適切な冷却制御を行うことができる。
【００９８】
なお、低温冷却制御を基準設定（例えば２時間）よりも長い所定時間Ｓａ’（例えば３時間強）に亘り実施することは、「第２制御モードの内容を基準設定から変更する」ことの一例であり、「低温冷却制御の実施時間を基準内容から変更する」ことの一例である。
【００９９】
また、制御部１００は、上記に代えて／加えて、例えば「急速冷凍」の制御モードと「特別チルド」の制御モードとが並行して実行される場合、高温冷却制御を基準設定である所定時間Ｓｂ（例えば７時間）よりも短い所定時間Ｓｂ’（例えば６時間）に限り実行してもよい。この場合、チルド室２７ＡＡの食品が高温になり過ぎることを抑制することができる。高温冷却制御を基準設定（例えば７時間）よりも短い所定時間Ｓｂ’（例えば６時間）に限り実行することは、「第２制御モードの内容を基準設定から変更する」ことの一例であり、「高温冷却制御の実施時間を基準内容から変更する」ことの一例である。
【０１００】
＜５．２  高温冷却制御の実行中に第１制御モードが受け付けられる場合＞
次に、「特別チルド」の制御モードの高温冷却制御の実行中に第１制御モードが受け付けられる場合についていくつかの実施例を説明する。
【０１０１】
（第６実施例）
図１１は、第６実施例を説明するための図である。第６実施例は、「特別チルド」の制御モードの高温冷却制御の実行中に第１制御モードの開始指示が受け付けられ、所定の優先順位に基づき第１制御モードが優先して実行され、第１制御モードの終了後に「特別チルド」の制御モードが再開される例である。図１１に示す例では、第１制御モードは「急速チルド」である。ただし、第１制御モードは、「急速チルド」に限定されず、「急速冷凍」や「急速製氷」、「解凍」などでもよい。「急速チルド」および「特別チルド」の制御モードは、いずれもチルド室２７ＡＡに関する制御モードである。
【０１０２】
詳しく述べると、第６実施例では、第１時点ｔ１よりも以前から「特別チルド」の制御モードが実行されており、第１時点ｔ１で「特別チルド」の低温冷却制御から高温冷却制御に切り替えられた例である。
【０１０３】
図１１に示す例では、第２時点ｔ２において、「急速チルド」の開始指示が受け付けられる。この場合、制御部１００は、第２時点ｔ２において「特別チルド」の高温冷却制御を中断し、第２時点ｔ２から「急速チルド」の制御モードを開始する。そして、制御部１００は、「急速チルド」の固定時間（例えば上述した所定時間である１時間）が終了した第３時点ｔ３で、「特別チルド」の高温冷却制御を再開する。その後、制御部１００は、第４時点ｔ４で高温冷却制御を終了し、低温冷却制御を開始する。
【０１０４】
本実施例では、制御部１００は、中断前の高温冷却制御の実施時間Ｓｂａと再開後の高温冷却制御の実施時間Ｓｂｂとの合計時間が高温冷却制御の基準設定である所定時間Ｓｂよりも短くなるように、再開後の高温冷却制御の実施時間Ｓｂｂの長さを決定する。
【０１０５】
例えば、制御部１００は、チルド室温度を所定の周期で取得し、所定の周期で取得されたチルド室温度の経過を反映させた指標値を導出し、導出した指標値に基づき再開後の高温冷却制御の実施時間Ｓｂｂの長さを決定する。例えば、制御部１００は、チルド室温度の時間積分値である指標値Ｉを導出し、その指標値Ｉに基づき、再開後の高温冷却制御の実施時間Ｓｂｂの長さを決定する。
【０１０６】
より詳しく述べると、制御部１００は、例えば、第１時点ｔ１で低温冷却制御から高温冷却制御に切り替えられ、チルド室温度が第２温度帯Ｔｂの下限値を超えた場合、チルド室温度の時間積分値である指標値Ｉの算出を開始する。すなわち、制御部１００は、所定の周期（例えば１分ごと）で取得されたチルド室温度の値を積算する（時間積分する）ことで指標値Ｉを算出する。例えば、高温冷却制御の基準設定として、第２温度帯Ｔｂ（平均温度が＋１℃）の冷却が７時間行われる場合、指標値Ｉに対する閾値は、＋１℃×７時間×６０分＝４２０℃分として設定されている。そして、制御部１００は、所定の周期でチルド室温度が積算された指標値Ｉが４２０℃分に達した時点で、高温冷却制御を終了して低温冷却制御に切り替える。
【０１０７】
本実施例では、制御部１００は、「特別チルド」の高温冷却制御を途中で中断し、「急速チルド」の制御モードを開始する場合に、「急速チルド」の制御モードの実行中も所定の周期で指標値Ｉを算出することを継続する。そして、制御部１００は、「急速チルド」の制御モードも通算した場合の指標値Ｉが閾値（例えば４２０℃分）に達した時点で、高温冷却制御を終了し（「急速チルド」の制御モードを実行中に指標値Ｉが上記閾値に達した場合は「急速チルド」の制御モードを終了し）、低温冷却制御を開始する。図１１に示す例は、第２温度帯Ｔｂ（平均温度が＋１℃）の高温冷却制御が２時間実施された後に「急速チルド」（平均温度が＋０．５℃）の制御モードが１時間実施される例である。この場合、再開後の高温冷却制御の実施時間Ｓｂｂの長さは、[４２０℃分−{（＋１℃×２時間×６０分）＋（＋０．５℃×１時間×６０分）}]／＋１℃＝２７０分であり、４時間半と算出される。
【０１０８】
なお、チルド室温度の経過を反映させた指標値は、時間積分値である指標値Ｉに限定されず、所定期間に亘り積算されたチルド室温度を経過時間で除算することで得られる平均温度などでもよい。この場合、上記「所定期間」は、少なくとも直前の低温冷却制御を含む期間であると好ましい場合があり、直前の低温冷却制御と前回の高温冷却制御を含む期間であると好ましい場合がある。また、実施時間Ｓｂｂの決定方法は、予め設定されている補正値を用いる方法でもよい。
【０１０９】
このような構成によれば、後から開始指示を受け付けた第１制御モードの内容を確実に実施するとともに、「特別チルド」の制御モードも実施することができる。これにより、冷蔵庫１のより適切な冷却制御を行うことができる。また、再開後の高温冷却制御の実施時間Ｓｂｂの長さを適切に決定することで、チルド室２７ＡＡの食品の温度が上がり過ぎることを抑制することができる。
【０１１０】
なお、中断前の高温冷却制御の実施時間Ｓｂａと再開後の高温冷却制御の実施時間Ｓｂｂとの合計時間が高温冷却制御の基準設定よりも短くなるように、再開後の高温冷却制御の実施時間Ｓｂｂの長さを決定することは、「第２制御モードの内容を基準設定から変更する」こと、および「高温冷却制御の内容を基準設定から変更する」ことのそれぞれ一例である。
【０１１１】
なお第６実施例では、「急速チルド」の制御モードを、チルド室２７ＡＡの平均温度がプラス温度帯になる制御モードとして説明した。これに代えて、「急速チルド」の制御モードは、チルド室２７ＡＡの平均温度がマイナス温度帯（平均温度が０℃よりも低い温度帯）になる制御モードでもよい。この場合、制御部１００は、中断前の高温冷却制御の実施時間Ｓｂａと再開後の高温冷却制御の実施時間Ｓｂｂとの合計時間が高温冷却制御の基準設定である所定時間Ｓｂよりも長くなるように、再開後の高温冷却制御の実施時間Ｓｂｂの長さを決定する。この実施時間Ｓｂｂの長さの決定方法としては、例えば、上述した時間積分または平均温度である指標値Ｉに基づく手法などが採用可能である。すなわち、マイナスの温度については、マイナスを示す符号を生かしたまま時間積分や平均温度の計算に取り込まれればよい。また、実施時間Ｓｂｂの決定方法は、予め設定されている補正値を用いる方法でもよい。
【０１１２】
（第７実施例）
図１２は、第７実施例を説明するための図である。第７実施例は、「特別チルド」の制御モードの高温冷却制御の実行中に「解凍」の制御モードが受けられる点で、第６実施例とは異なる。「解凍」および「特別チルド」の制御モードは、いずれもチルド室２７ＡＡに関する制御モードである。以下では、第６実施例と異なる点のみを説明する。
【０１１３】
図１２に示す例では、第２時点ｔ２において、「解凍」の開始指示が受け付けられる。この場合、制御部１００は、第２時点ｔ２において「特別チルド」の高温冷却制御を中断し、第２時点ｔ２から「解凍」の制御モードを開始する。そして、制御部１００は、「解凍」の固定時間（例えば上述した所定時間である１時間）が終了した第３時点で、「特別チルド」の高温冷却制御を再開する。
【０１１４】
ここで「解凍」の制御モードは、チルド室２７ＡＡの平均温度が例えば＋１．５℃となる制御であり、チルド室２７ＡＡの平均温度が例えば＋０．５℃となる「急速チルド」よりも平均温度が高い制御である。このため、制御部１００は、「解凍」の制御モードの後に行われる高温冷却制御の実施時間Ｓｂｂの長さを、「急速チルド」の制御モードの後に行われる高温冷却制御の実施時間Ｓｂｂの長さよりも短くする。
【０１１５】
このような構成によれば、後から開始指示を受け付けた第１制御モードの内容を確実に実施するとともに、「特別チルド」の制御モードも実施することができる。これにより、冷蔵庫１のより適切な冷却制御を行うことができる。また、「解凍」の制御モードの後に行われる高温冷却制御の実施時間Ｓｂｂの長さを比較的短くすることで、チルド室２７ＡＡの食品の温度が上がり過ぎることを抑制することができる。
【０１１６】
（第８実施例）
図１３は、第８実施例を説明するための図である。第８実施例は、「特別チルド」の制御モードの高温冷却制御の実行中に第１制御モードの開始指示が受け付けられた場合、第１制御モードと「特別チルド」の制御モードとが並行して実行されるとともに、所定の優先順位に基づき第１制御モードの実施が優先され、「特別チルド」の制御モードの高温冷却制御の内容（設定）が第１制御モードの影響を受けた特別設定に変更される例である。図１３に示す例では、第１制御モードは「急速冷凍」である。なお第１制御モードは、「急速冷凍」に限定されず、「急速製氷」などでもよい。
【０１１７】
詳しく述べると、第８実施例では、第２時点ｔ２よりも以前は、第７実施例と同じである。第８実施例では、制御部１００は、第２時点ｔ２において「急速冷凍」の開始指示が受け付けられると、「特別チルド」の制御モードの実行を続けたまま、第２時点ｔ２から「急速冷凍」の制御モードを開始する。すなわち、第２時点ｔ２以降の一定期間は、「急速冷凍」の制御モードと「特別チルド」の制御モードとが並行して実行される。
【０１１８】
ここで本実施例では、制御部１００は、「急速冷凍」に関する制御の一部として、「特別チルド」の高温冷却制御の実施時間と「急速冷凍」の制御モードの実施時間とが重なっている期間（第２時点ｔ２から第３時点ｔ３）において、高温冷却制御の内容を基準内容から変更する。具体的には、制御部１００は、第２時点ｔ２から第３時点ｔ３における高温冷却制御の第２温度帯（目標温度帯）Ｔｂ’を、高温冷却制御の基準設定の第２温度帯Ｔｂよりも高く設定する。例えば、制御部１００は、第２温度帯Ｔｂ’の上限値および下限値を、第２温度帯Ｔｂの上限値および下限値よりもそれぞれ所定温度（例えば＋１℃）ずつ高くする。また本実施例では、制御部１００は、第２時点ｔ２から第３時点ｔ３における１回あたりの冷凍運転の実施時間を、基準設定の所定時間（例えば４０分）よりも長い所定時間（例えば６０分）に延長する。そして図１３に示す例では、第３時点ｔ３で「急速冷凍」の制御モードが終了し、通常の高温冷却制御に戻る。その後、制御部１００は、第４時点ｔ４において、高温冷却制御を終了し、低温冷却制御を開始する。
【０１１９】
本実施例では、制御部１００は、「急速冷凍」の制御モードの実行と重ならない高温冷却制御の実施時間Ｓｂｃ，Ｓｂｅと、「急速冷凍」の制御モードと並行して実行される高温冷却制御の実施時間Ｓｂｄとの合計時間が高温冷却制御の基準設定である所定時間Ｓｂよりも短くなるように、「急速冷凍」の制御モードの終了後の高温冷却制御の実施時間Ｓｂｅの長さを決定する。実施時間Ｓｂｅの長さの決定方法としては、例えば、第６実施例で上述した時間積分または平均温度である指標値Ｉに基づく手法などが採用可能である。また、実施時間Ｓｂｅの決定方法は、予め設定されている補正値を用いる方法でもよい。
【０１２０】
このような構成によれば、後から開始指示を受け付けた第１制御モードの内容を確実に実施するとともに、「特別チルド」の制御モードも並行して実施することができる。これにより、冷蔵庫１のより適切な冷却制御を行うことができる。また、高温冷却制御の実施時間Ｓｂｅの長さを適切に決定することで、チルド室２７ＡＡの食品の温度が上がり過ぎることを抑制することができる。
【０１２１】
（第９実施例）
図１４は、第９実施例を説明するための図である。第９実施例は、「特別チルド」の制御モードの高温冷却制御の実行中に第１制御モードの開始指示が受け付けられた場合、第１制御モードと「特別チルド」の制御モードとが並行して実行されるとともに、所定の優先順位に基づき「特別チルド」の制御モードが優先される例である。図１４に示す例では、第１制御モードは「急速冷凍」である。なお第１制御モードは、「急速冷凍」に限定されず、「急速製氷」などでもよい。
【０１２２】
以下では、第９実施例として、第８実施例と異なる点のみを説明する。本実施例では、制御部１００は、「特別チルド」の制御モードの実施時間と「急速冷凍」の制御モードの実施時間とが重なっている期間（第２時点ｔ２から第３時点ｔ３）において、「急速冷凍」の制御モードよりも「特別チルド」の制御モードを優先し、「特別チルド」の制御モードの内容は基準内容から変更しない。すなわち、制御部１００は、第２時点ｔ２から第３時点ｔ３において、高温冷却制御の基準設定である第２温度帯（目標温度帯）Ｔｂでチルド室２７ＡＡを冷却する。また本実施例では、制御部１００は、第２時点ｔ２から第３時点ｔ３における１回あたりの冷凍運転の実施時間を、基準設定の所定時間（例えば４０分）から延長しない。言い換えると、本実施例では「急速冷凍」の制御モードにおける１回あたりの冷凍運転の時間が基準設定の所定時間（例えば６０分）から上記所定時間よりも短い所定時間（例えば４０分）に変更される。本実施例では、第２時点ｔ２から第３時点ｔ３における「急速冷凍」の制御モードは、主冷凍室２７Ｅの設定温度が「Ｆ強設定」に設定されることが冷蔵庫１の基本運転から異なる。
【０１２３】
このような構成によれば、後から開始指示を受け付けた第１制御モードの内容を実施するとともに、「特別チルド」の制御モードも並行して実施することができる。これにより、冷蔵庫１のより適切な冷却制御を行うことができる。また、本実施例では、高温冷却制御の基準設定でチルド室２７ＡＡの温度管理を行うことができるため、チルド室２７ＡＡの食品の表面層の氷結をより適切に融解させることができる。
【０１２４】
なお、第２時点ｔ２から第３時点ｔ３における高温冷却制御の目標温度帯を基準設定の第２温度帯Ｔｂよりも高く設定しないこと、および／または、第２時点ｔ２から第３時点ｔ３における冷凍運転の実施時間を「特別チルド」の制御モードの基準設定（例えば４０分）から延長しないことは、「第１制御モードの内容を基準設定から変更する」ことの一例である。
【０１２５】
＜５．３  低温冷却制御の実行中に第１制御モードが受け付けられる場合＞
次に、「特別チルド」の制御モードの低温冷却制御の実行中に第１制御モードが受け付けられる場合についていくつかの実施例を説明する。
【０１２６】
（第１０実施例）
図１５は、第１０実施例を説明するための図である。第１０実施例は、「特別チルド」の制御モードの低温冷却制御の実行中に第１制御モードの開始指示が受け付けられ、所定の優先順位に基づき第１制御モードが優先して実行され、第１制御モードの終了後に「特別チルド」の制御モードが再開される例である。図１５に示す例では、第１制御モードは「解凍」である。ただし、第１制御モードは、「急速冷凍」や「急速製氷」、「急速チルド」などでもよい。「解凍」および「特別チルド」の制御モードは、いずれもチルド室２７ＡＡに関する制御モードである。
【０１２７】
詳しく述べると、第１０実施例では、第１時点ｔ１よりも以前から「特別チルド」の制御モードが実行されており、第１時点ｔ１で「特別チルド」の高温冷却制御から低温冷却制御に切り替えられた例である。
【０１２８】
図１５に示す例では、第２時点ｔ２において、「解凍」の開始指示が受け付けられる。この場合、制御部１００は、第２時点ｔ２において「特別チルド」の低温冷却制御を中断し、第２時点ｔ２から「解凍」の制御モードを開始する。そして、制御部１００は、「解凍」の固定時間（例えば上述した所定時間である１時間）が終了した第３時点ｔ３で、「特別チルド」の低温冷却制御を再開する。
【０１２９】
本実施例では、制御部１００は、中断前の低温冷却制御の実施時間Ｓａａと再開後の低温冷却制御の実施時間Ｓａｂとの合計時間が低温冷却制御の基準設定である所定時間Ｓａよりも長くなるように、再開後の低温冷却制御の実施時間Ｓａｂの長さを決定する。
【０１３０】
例えば、制御部１００は、チルド室温度を所定の周期で取得し、所定の周期で取得されたチルド室温度の経過を反映させた指標値を導出し、導出された指標値に基づき再開後の低温冷却制御の実施時間Ｓａｂの長さを決定する。実施時間Ｓａｂの長さの決定方法としては、例えば、第６実施例で上述した時間積分または平均温度である指標値Ｉに基づく手法が採用可能である。また、実施時間Ｓａｂの決定方法は、予め設定されている補正値を用いる方法でもよい。
【０１３１】
このような構成によれば、後から開始指示を受け付けた第１制御モードの内容を確実に実施するとともに、「特別チルド」の制御モードも実施することができる。これにより、冷蔵庫１のより適切な冷却制御を行うことができる。
【０１３２】
なお、中断前の低温冷却制御の実施時間Ｓａａと再開後の低温冷却制御の実施時間Ｓａｂとの合計時間が低温冷却制御の基準設定よりも長くなるように、再開後の低温冷却制御の実施時間Ｓａｂの長さを決定することは、「第２制御モードの内容を基準設定から変更する」こと、および「低温冷却制御の内容を基準設定から変更する」ことのそれぞれ一例である。
【０１３３】
なお、制御部１００は、第１制御モードがチルド室２７ＡＡの平均温度の上昇を伴う制御モードや、チルド室２７ＡＡの平均温度がプラス温度帯になる制御モードである場合、再開後の低温冷却制御の第１温度帯Ｔａを、基準設定の低温冷却制御の第１温度帯Ｔａよりも低くしてもよい。また上記に代えて／加えて、制御部１００は、再開後の低温冷却制御の実施時間を、基準設定の低温冷却制御の所定時間Ｓａよりも長くしてもよい。
【０１３４】
なお第１０実施例では、第１制御モードとしてチルド室２７ＡＡの平均温度がプラス温度帯になる制御モードを説明した。これに代えて、第１制御モードは、チルド室２７ＡＡの平均温度がマイナス温度帯（平均温度が０℃よりも低い温度帯）になる制御モードでもよい。この場合、制御部１００は、中断前の低温冷却制御の実施時間Ｓａａと再開後の低温冷却制御の実施時間Ｓａｂとの合計時間が低温冷却制御の基準設定である所定時間Ｓａよりも短くなるように、再開後の低温冷却制御の実施時間Ｓａｂの長さを決定する。この実施時間Ｓａｂの長さの決定方法としては、例えば、上述した時間積分または平均温度である指標値Ｉに基づく手法などが採用可能である。また、実施時間Ｓａｂの決定方法は、予め設定されている補正値を用いる方法でもよい。
【０１３５】
（第１１実施例）
図１６および図１７は、第１０実施例を説明するための図である。第１０実施例は、「特別チルド」の制御モードの低温冷却制御の実行中に第１制御モードの開始指示が受け付けられ、タイミングに応じた所定の優先順位に基づき第１制御モードまたは「特別チルド」の制御モードが優先して実行される例である。図１６および図１７に示す例では、第１制御モードは「解凍」である。ただし、第１制御モードは、「急速冷凍」や「急速製氷」、「急速チルド」などでもよい。
【０１３６】
図１６に示す例は、低温冷却制御が所定以上進んだ状態で「解凍」の開始指示が受け付けられた例である。「所定以上」は、例えば、予定されていた実施時間（所定時間Ｓａ）の２／３以上でもよいし、半分以上でもよし、別の任意の基準でもよい。
【０１３７】
詳しく述べると、第１１実施例では、第１時点ｔ１よりも以前から「特別チルド」の制御モードが実行されており、第１時点ｔ１で「特別チルド」の高温冷却制御から低温冷却制御に切り替えられた例である。そして、制御部１００は、低温冷却制御が所定以上進んだ第２時点ｔ２で「解凍」の開始指示が受け付けられた場合、第２時点ｔ２で低温冷却制御を早期に終了し、第２時点ｔ２から「解凍」の制御モードを開始する。そして、制御部１００は、「解凍」の固定時間（例えば上述した所定時間である１時間）が終了した第３時点ｔ３で、低温冷却制御を再開せずに、高温冷却制御を開始する。
【０１３８】
本実施例では、制御部１００は、低温冷却制御を早期に終了させた場合、「解凍」の制御モードの終了後に実行される高温冷却制御の実施時間Ｓｂ’を、高温冷却制御の基準設定である所定時間Ｓｂよりも短くする。例えば、制御部１００は、第１制御モードの期間と高温冷却制御の期間とに亘りチルド室温度を所定の周期で取得し、所定の周期で取得されたチルド室温度の経過を反映させた指標値を導出し、第１制御モードの終了後に実行される高温冷却制御の実施時間Ｓｂ’の長さを決定する。実施時間Ｓｂ’の長さの決定方法としては、例えば、第６実施例で上述した時間積分または平均温度である指標値Ｉに基づく手法が採用可能である。また、実施時間Ｓｂ’の長さは、予め設定されている設定値を用いる方法でもよい。この設定値は、例えば、低温冷却制御をどの程度早期に終了させたかに応じて複数の設定値が用意されていてもよい。またこの設定値は、第１制御モードの内容に応じて（例えば、第１制御モードの実行に伴うチルド室２７ＡＡの平均温度の高さに応じて）複数の設定値が用意されていてもよい。
【０１３９】
一方で、図１７に示す例は、低温冷却制御が所定以上進む前に「解凍」の開始指示が受け付けられた例である。この場合、制御部１００は、「解凍」の制御モードよりも低温冷却制御を優先する。例えば、制御部１００は、「解凍」の制御モードの開始を延期し、低温冷却制御の実行を続ける。そして、低温冷却制御の基準設定である所定時間Ｓａが終了した第３時刻ｔ３から「解凍」の制御モードを開始する。そして、制御部１００は、「解凍」の固定時間（例えば上述した所定時間である１時間）が終了した第４時点ｔ４で、高温冷却制御を開始する。
【０１４０】
本実施例では、制御部１００は、高温冷却制御の直前に、チルド室２７ＡＡの平均温度がプラス温度帯になる第１制御モード（例えば「解凍」の制御モード）が存在する場合、第１制御モードの終了後に実行される高温冷却制御の実施時間Ｓｂ’を、高温冷却制御の基準設定である所定時間Ｓｂよりも短くする。例えば、制御部１００は、上記第１制御モードの期間と高温冷却制御の期間とに亘りチルド室温度を所定の周期で取得し、所定の周期で取得されたチルド室温度の経過を反映させた指標値を導出し、第１制御モードの終了後に実行される高温冷却制御の実施時間Ｓｂ’の長さを決定する。実施時間Ｓｂ’の長さの決定方法としては、例えば、第６実施例で上述した時間積分または平均温度である指標値Ｉに基づく手法が採用可能である。また、実施時間Ｓｂ’の長さは、予め設定されている設定値を用いる方法でもよい。この設定値は、第１制御モードの内容に応じて（例えば、第１制御モードの実行に伴うチルド室２７ＡＡの平均温度の高さに応じて）複数の設定値が用意されていてもよい。
【０１４１】
このような構成によれば、後から開始指示を受け付けた第１制御モードの内容を確実に実施するとともに、「特別チルド」の制御モードも実施することができる。これにより、冷蔵庫１のより適切な冷却制御を行うことができる。また、再開後の高温冷却制御の実施時間Ｓｂ’の長さを適切に決定することで、チルド室２７ＡＡの食品の温度が上がり過ぎることを抑制することができる。
【０１４２】
なお、第１制御モードの開始指示が受け付けられた場合に低温冷却制御を早期に終了することは、「第２制御モードの内容を基準設定から変更する」こと、「低温冷却制御の内容を基準設定から変更する」こと、および「低温冷却制御の実施時間を基準設定から変更する」ことのそれぞれ一例である。
【０１４３】
なお、第１１実施例は、低温冷却制御の実行中にチルド室２７ＡＡの平均温度がプラス温度帯になる（またはチルド室２７ＡＡの平均温度の上昇を伴う）第１制御モードの開始指示が受け付けられた例である。ただし、第１１実施例の内容は、高温冷却制御の実行中にチルド室２７ＡＡの平均温度がマイナス温度帯になる（またはチルド室２７ＡＡの平均温度の下降を伴う）第１制御モードの開始指示が受け付けられた場合などにも応用可能である。この場合は、上述した説明において低温冷却制御に関する内容と高温冷却制御に関する内容とを適宜逆に読み替えればよい。
【０１４４】
（第１２実施例）
図１８は、第１２実施例を説明するための図である。第１２実施例は、「特別チルド」の制御モードの低温冷却制御の実行中に第１制御モードの開始指示が受け付けられた場合、第１制御モードと「特別チルド」の制御モードとが並行して実行されるとともに、所定の優先順位に基づき第１制御モードが部分的に優先され、「特別チルド」の制御モードの低温冷却制御の内容（設定）が第１制御モードの影響を受けた特別設定に変更される例である。図１８に示す例では、第１制御モードは「急速冷凍」である。なお第１制御モードは、「急速冷凍」に限定されず、「急速製氷」などでもよい。
【０１４５】
詳しく述べると、第１２実施例では、第２時点ｔ２よりも以前は、第１０実施例と同じである。第１２実施例では、制御部１００は、第２時点ｔ２において「急速冷凍」の開始指示が受け付けられると、第２時点ｔ２から「急速冷凍」の制御モードを開始する。すなわち、第２時点ｔ２以降の一定期間は、「急速冷凍」の制御モードと「特別チルド」の制御モードとが並行して実行される。
【０１４６】
ここで本実施例では、制御部１００は、「急速冷凍」に関する制御の一部として、「特別チルド」の低温冷却制御の実施時間と「急速冷凍」の制御モードの実施時間とが重なっている期間（第２時点ｔ２から第３時点ｔ３）において、低温冷却制御の内容を基準内容（低温時基準設定）から変更する。具体的には、制御部１００は、第２時点ｔ２から第３時点ｔ３における低温冷却制御の第１温度帯（目標温度帯）Ｔａ’を、低温冷却制御の基準設定の第１温度帯Ｔａよりも第１度合い高く設定する。例えば、制御部１００は、第１温度帯Ｔａ’の上限値および下限値を、第１温度帯Ｔａの上限値および下限値よりもそれぞれ所定温度（例えば＋１℃）ずつ高くする。また本実施例では、制御部１００は、第２時点ｔ２から第３時点ｔ３における１回あたりの冷凍運転の実施時間を、低温冷却制御の基準設定（例えば４０分）よりも長い所定時間（例えば６０分）に延長する。
【０１４７】
一方で、制御部１００は、「特別チルド」の高温冷却制御の実施時間と「急速冷凍」の制御モードの実施時間とが重なっている期間（第３時点ｔ３から第４時点ｔ４）においては、高温冷却制御の内容を基準内容（高温時基準設定）から変更しない（または第１度合いよりも小さな第２度合いで変更する）。図１８に示す例では、制御部１００は、第３時点ｔ３から第４時点ｔ４においても、高温冷却制御の基準設定である第２温度帯（目標温度帯）Ｔｂでチルド室２７ＡＡを冷却する。また本実施例では、制御部１００は、第３時点ｔ３から第４時点ｔ４における１回あたりの冷凍運転の実施時間を、基準設定の所定時間（例えば４０分）から延長しない。
【０１４８】
このような構成によれば、後から開始指示を受け付けた第１制御モードの内容を確実に実施するとともに、「特別チルド」の制御モードも実施することができる。これにより、冷蔵庫１のより適切な冷却制御を行うことができる。また本実施例では、低温冷却制御の内容が第１度合いで基準設定から変更されるとともに、高温冷却制御の内容が変更されない（または第１度合いよりも小さな第２度合いで基準設定から変更される）。このような構成によれば、第１制御モードに与える影響（制約）が相対的に大きい低温冷却制御については第１制御モードに与える影響を小さくするとともに、第１制御モードに与える影響（制約）が相対的に小さな高温冷却制御については高温冷却制御を優先することができる。これにより、第１制御モードと「特別チルド」の制御モードとのより適切な両立が可能になる。
【０１４９】
なお、第１２実施例は、低温冷却制御の実行中に第１制御モードの開始指示が受け付けられる例である。ただし、第１２実施例の内容は、高温冷却制御の実行中に第１制御モードの開始指示が受け付けられる場合や、第１制御モードの実行中に「特別チルド」の制御モードが受け付けられる場合にも応用可能である。
【０１５０】
（第１３実施例）
図１９は、第１３実施例を説明するための図である。第１３実施例は、「特別チルド」の制御モードの低温冷却制御の実行中に第１制御モードの開始指示が受け付けられた場合、第１制御モードと「特別チルド」の制御モードとが並行して実行されるとともに、所定の優先順位に基づき「特別チルド」の制御モードが優先される例である。図１９に示す例では、第１制御モードは「急速冷凍」である。なお第１制御モードは、「急速冷凍」に限定されず、「急速製氷」などでもよい。
【０１５１】
以下では、第１３実施例として、第１２実施例と異なる点のみを説明する。本実施例では、制御部１００は、「特別チルド」の制御モードの実施時間と「急速冷凍」の制御モードの実施時間とが重なっている期間（第２時点ｔ２から第４時点ｔ４）において、「急速冷凍」の制御モードよりも「特別チルド」の制御モードを優先し、「特別チルド」の制御モードの内容は基準内容から変更しない。すなわち、制御部１００は、第２時点ｔ２から第４時点ｔ４において、低温冷却制御の基準設定である第１温度帯（目標温度帯）Ｔａでチルド室２７ＡＡを冷却し、高温冷却制御の基準設定である第２温度帯（目標温度帯）Ｔｂでチルド室２７ＡＡを冷却する。また本実施例では、制御部１００は、第２時点ｔ２から第４時点ｔ４における冷凍運転の実施時間を、基準設定の所定時間（例えば４０分）から延長しない。言い換えると、本実施例では「急速冷凍」の制御モードにおける冷凍運転の時間が基準設定の所定時間（例えば６０分）から上記所定時間よりも短い所定時間（例えば４０分）に変更されることになる。本実施例では、第２時点ｔ２から第４時点ｔ４における「急速冷凍」の制御モードは、主冷凍室２７Ｅの設定温度が「Ｆ強設定」に設定されることが冷蔵庫１の基本運転から異なる。
【０１５２】
このような構成によれば、後から開始指示を受け付けた第１制御モードの内容を確実に実施するとともに、「特別チルド」の制御モードも並行して実施することができる。これにより、冷蔵庫１のより適切な冷却制御を行うことができる。
【０１５３】
以上、いくつかの実施例について説明したが、実施例は上記例に限定されない。各実施例で説明した概念は、それぞれ適宜組み合わせて実現されてもよい。例えば、第１から第５の実施例において、第１制御モードの終了後には「特別チルド」の高温冷却制御から開始されてもよい。この場合、第１制御モードの内容に応じて、高温冷却制御の目標温度帯や実施時間が変更されてもよい。また、いくつかの実施例では、「特別チルド」の制御モードを優先する場合、「特別チルド」の目標温度帯を変更しないことと、１回あたりの冷凍運転の実施時間を延長しないこととの両方が行われる例について説明したが、「特別チルド」の目標温度帯を変更しないことと、１回あたりの冷凍運転の実施時間を延長しないこととは必ずしも両方が実施される必要はない。
【０１５４】
以上説明した少なくともひとつの実施形態によれば、冷蔵庫は、第１制御モードと第２制御モードとのうち一方の制御モードの実行中に他方の制御モードの開始指示が受け付けられた場合、所定の優先順位に基づき、前記第１制御モードの内容変更、前記第２制御モードの内容変更、前記一方の制御モードの早期終了または中断、および前記他方の制御モードの開始延期のうち少なくとも１つを行う制御部を備えることで、より適切な冷却制御を行うことができる冷蔵庫を提供することができる。
【０１５５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１５６】
１…冷蔵庫、１０…筐体、１５…冷却部、２７Ａ…冷蔵室、２７ＡＡ…チルド室（貯蔵部）、２７Ｅ…主冷凍室、４１…冷蔵用冷却器、４３…冷蔵用ファン、４６…冷凍用冷却器、４８…冷凍用ファン、４９…圧縮機、１００…制御部。
【図１】
2020180733.tif 000003
【図２】
2020180733.tif 000004
【図３】
2020180733.tif 000005
【図４】
2020180733.tif 000006
【図５】
2020180733.tif 000007
【図６】
2020180733.tif 000008
【図７】
2020180733.tif 000009
【図８】
2020180733.tif 000010
【図９】
2020180733.tif 000011
【図１０】
2020180733.tif 000012
【図１１】
2020180733.tif 000013
【図１２】
2020180733.tif 000014
【図１３】
2020180733.tif 000015
【図１４】
2020180733.tif 000016
【図１５】
2020180733.tif 000017
【図１６】
2020180733.tif 000018
【図１７】
2020180733.tif 000019
【図１８】
2020180733.tif 000020
【図１９】
2020180733.tif 000021